(57)【要約】本発明はレタスのＦ１品種作成に有用な細胞質雄性不稔レタス及びその作出方法を提供することを目的とする。  本発明は、Ｈｅｌｉａｎｔｈｕｓ属植物の細胞質に由来する遺伝子を細胞質内に有する、好ましくは細胞質雄性不稔性である細胞質雑種Ｌａｃｔｕｃａ属植物、その後代、またはそれらの植物体の一部に関する。本発明はまた、この細胞質雑種Ｌａｃｔｕｃａ属植物の作出方法に関する。【特許請求の範囲】
【請求項１】
Ｈｅｌｉａｎｔｈｕｓ属植物由来のプロトプラストとＬａｃｔｕｃａ属植物由来のプロトプラストを細胞融合し、次いで融合細胞を培養し、培養された融合細胞から植物体を再生することを特徴とする細胞質雑種Ｌａｃｔｕｃａ属植物の作出方法。
【請求項２】
Ｈｅｌｉａｎｔｈｕｓ属植物由来のプロトプラストがＨ．ａｎｎｕｕｓ  Ｌ．に由来するプロトプラストであるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統に由来するプロトプラストである請求項１記載の方法。
【請求項３】
Ｌａｃｔｕｃａ属植物由来のプロトプラストがＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するプロトプラストである請求項１または２記載の方法。
【請求項４】
Ｈｅｌｉａｎｔｈｕｓ属植物が細胞質雄性不稔性を有する、請求項１〜３のいずれか１項記載の方法。
【請求項５】
Ｈｅｌｉａｎｔｈｕｓ属植物がミトコンドリアに雄性不稔遺伝子を有する、請求項４記載の方法。
【請求項６】
細胞質雑種Ｌａｃｔｕｃａ属植物が細胞質雄性不稔性を有する、請求項１〜５のいずれか１項記載の方法。
【請求項７】
請求項１〜６のいずれか１項記載の方法により作出された細胞質雑種Ｌａｃｔｕｃａ属植物、その後代、またはそれらの植物体の一部。
【請求項８】
細胞質雑種Ｌａｃｔｕｃａ属植物またはその後代の植物体の一部が、該植物体の細胞または細胞質を含むものである、請求項７記載の細胞質雑種Ｌａｃｔｕｃａ属植物またはその後代の植物体の一部。
【請求項９】
Ｈｅｌｉａｎｔｈｕｓ属植物のミトコンドリアに由来する遺伝子を細胞質内に有する細胞質雑種Ｌａｃｔｕｃａ属植物、その後代、またはそれらの植物体の一部。
【請求項１０】
Ｈｅｌｉａｎｔｈｕｓ属植物がＨ．ａｎｎｕｕｓ  Ｌ．であるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統である請求項９記載の細胞質雑種Ｌａｃｔｕｃａ属植物、その後代、またはそれらの植物体の一部。
【請求項１１】
細胞質雑種Ｌａｃｔｕｃａ属植物がＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するものである請求項９または１０記載の細胞質雑種Ｌａｃｔｕｃａ属植物、その後代、またはそれらの植物体の一部。
【請求項１２】
Ｈｅｌｉａｎｔｈｕｓ属植物のミトコンドリアに由来する遺伝子が雄性不稔遺伝子である請求項９〜１１のいずれか１項記載の細胞質雑種Ｌａｃｔｕｃａ属植物、その後代、またはそれらの植物体の一部。
【請求項１３】
細胞質雄性不稔性を有する、請求項９〜１２のいずれか１項記載の細胞質雑種Ｌａｃｔｕｃａ属植物、その後代、またはそれらの植物体の一部。
【請求項１４】
細胞質雑種Ｌａｃｔｕｃａ属植物またはその後代の植物体の一部が、該植物体の細胞または細胞質を含むものである、請求項９〜１３のいずれか１項記載の細胞質雑種Ｌａｃｔｕｃａ属植物またはその後代の植物体の一部。
【請求項１５】
受託番号ＦＥＲＭ  ＢＰ−１０４２１である細胞質雑種Ｌａｃｔｕｃａ属植物の種子、該種子から生育させた細胞質雑種Ｌａｃｔｕｃａ属植物、その後代、またはそれらの植物体の一部。
【請求項１６】
細胞質雑種Ｌａｃｔｕｃａ属植物またはその後代の植物体の一部が、該植物体の細胞または細胞質を含むものである、請求項１５項記載の細胞質雑種Ｌａｃｔｕｃａ属植物またはその後代の植物体の一部。
【請求項１７】
受託番号ＦＥＲＭ  ＢＰ−１０６４７である細胞質雑種Ｌａｃｔｕｃａ属植物の種子、該種子から生育させた細胞質雑種Ｌａｃｔｕｃａ属植物、その後代、またはそれらの植物体の一部。
【請求項１８】
細胞質雑種Ｌａｃｔｕｃａ属植物またはその後代の植物体の一部が、該植物体の細胞または細胞質を含むものである、請求項１７項記載の細胞質雑種Ｌａｃｔｕｃａ属植物またはその後代の植物体の一部。
【請求項１９】
請求項６記載の方法により作出された細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項２０】
請求項１３記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項２１】
請求項１５記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項２２】
請求項１７記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項２３】
請求項１９〜２２のいずれか１項記載の方法により作出された雑種第一代種子または該種子から生育させた雑種第一代植物。
【発明の詳細な説明】
【技術分野】
【０００１】
細胞質雑種Ｌａｃｔｕｃａ属植物およびその作出方法に関する。
【背景技術】
【０００２】
従来から植物品種には、固定品種と雑種第一代（以下、Ｆ１と記す）品種があるが、主要作物においてはＦ１品種が普及している。Ｆ１品種は、雑種強勢（ヘテロシス）によって、生育が旺盛になることにより、生育速度が速く、収量性が高まるなど大きな利点がある。加えて、病害虫への耐性や、耐寒・耐暑性などの環境適応性の向上も期待できる。またＦ１品種の遺伝子型はヘテロ性でありながら同一の遺伝子型であるため、表現型は極めて高い均一性を示すため生産物の市場性が高まる。さらに優性遺伝子に支配されている有用形質を集積しやすく、迅速な育種が可能となる。また、次世代以降は形質の分離が起こることで品質の均一性を保てないため、Ｆ１種子を毎年生産する必要があり、品種育成者の権利が保護されることも大きな利点である。
以上のような理由から、Ｆ１品種は、主要作物において栽培品種の主流を占めるようになった。しかし、Ｆ１種子を商業的に大量生産するためには、コストをかけずに容易に除雄する方法を必要とする。果菜類のトマト、メロン、キュウリ、カボチャ、花卉類のペチュニア、トルコギキョウなどのように、１回の交配により多くの種子が得られる場合には、人手による除雄、交配を行うことにより、経済的なＦ１種子の生産が可能である。しかし、花の構造上、除雄を効率的に行うことが極めて困難な作物や、１回の交配により得られる種子が少ないため、人手による交配では大量に交雑種子を得ることが難しく、経済的にＦ１種子の生産が行えない作物も多い。このような作物では、雄性不稔性の遺伝的特性を利用し、雄性不稔植物を種子親とする採種によって、多大な労力とコストを要する除雄の作業を省力化することができるため、雄性不稔性を利用した採種方法の開発は非常に重要である。
雄性不稔性は、多くの植物種で発見されている。また、細胞融合技術を使用した雄性不稔植物の作出方法が多くの有用作物で確立されている（特許文献４、特許文献５、特許文献６、特許文献７、特許文献８、特許文献９、特許文献１０、特許文献１１、特許文献１２、特許文献１３、特許文献１４、特許文献１５、特許文献１６、特許文献１７、特許文献１８、特許文献１９）。雄性不稔性の機構は多種多様であるが、核遺伝子型雄性不稔性（Ｇｅｎｅｔｉｃ  Ｍａｌｅ  Ｓｔｅｒｉｌｉｔｙ）と細胞質雄性不稔性（Ｃｙｔｏｐｌａｓｍｉｃ  Ｍａｌｅ  Ｓｔｅｒｉｌｉｔｙ）の２つに大別できる。核遺伝子型雄性不稔性は、核内遺伝子によって雄性不稔性が引き起こされる。一方、細胞質雄性不稔性は、細胞質遺伝要因と核遺伝子の相互作用により雄性不稔を発現する。
レタスは世界各国で生産され、市場規模の非常に大きな野菜であり、Ｆ１品種化が強く望まれている。また、非特許文献１，非特許文献２には、レタスにおける雑種強勢の発現について記載されている。核遺伝子型雄性不稔レタスを利用してＦ１植物を作出し、従来の固定種と比較することで雑種強勢の発現を調査しており、その結果、Ｆ１植物が顕著な雑種強勢を示すことが報告されている。そこで、レタスの雄性不稔性を利用したＦ１種子の効率的な採種技術の確立が強く要望されてきたが、未だ確立されていないのが現状である。例えば、非特許文献３は、レタスの核遺伝子型雄性不稔性の遺伝様式を明らかにしたものであるが、雄性不稔性が不安定であり、雌性にも障害が現れるため（非特許文献７）、実用的な利用には課題が残っていた。同じ著者によって非特許文献４と非特許文献５に同様の報告がなされている。また実際、核遺伝子型雄性不稔性を利用した、Ｆ１品種の商品化がなされているが、雄性不稔性が不安定であり、従来の固定種に取って代わるまでには至っていない（非特許文献６）。
さらに近年になって、新しいタイプのレタスの核遺伝子型雄性不稔系統が見出されている。例えば、特許文献１、非特許文献１に記載されている系統‘ＭＳ１０２４’は、病害抵抗性選抜後代の中から見つけ出されたものであるが、花粉粒をまったく生じさせない雄性不稔性である点や、採種量が高い点で非特許文献３などに記載された核遺伝子型雄性不稔植物よりも優れている。
しかしながら、核遺伝子型雄性不稔植物を商業的なＦ１種子の生産に利用するには、採種コストの点で問題を生じる。これまでに発見されたレタスの核遺伝子型雄性不稔性は、劣性遺伝子がホモ接合（ｈｏｍｏｚｙｇｏｓｉｓ）していることによる雄性不稔性である（非特許文献７）。劣性遺伝子がホモ接合（ｈｏｍｏｚｙｇｏｓｉｓ）した雄性不稔植物はそれ自身では自殖できないため、雄性不稔系統を維持・増殖するためには、雄性不稔遺伝子をヘテロ接合（ｈｅｔｅｒｏｚｙｇｏｓｉｓ）に持つ個体を交配し、後代から雄性不稔遺伝子をホモ接合にもつ個体を選択しなければならない。交雑後代において可稔植物個体と不稔植物個体は１：１に分離するため、その交雑後代の約５０％が雄性不稔植物個体である。そのため、商業的なＦ１種子の生産のためには、採種圃場において何らかの方法で可稔植物個体を選別し、抜き取る必要がある。特にレタスは花器が小さいため、不稔植物個体と可稔植物個体との判別が容易ではなく、細い花茎に多数の花をつけるため、抜き取り作業がより煩雑となる。
また、開花時期は個体ごとにずれるため、花の外見を基準にして可稔個体の完全な抜き取りを行うことは大変な労力を要するうえ、抜き取りミスによるＦ１種子の純度の低下により種子の品質が悪化するという問題も生じる。
さらに育種面においても、雄性不稔遺伝子を持つ個体が開花期以外は視覚的に区別できないため、育種効率が悪く、長い育種年限を要する。可稔性植物と不稔性植物との判別を容易にするには、種子または生育初期に形態と連鎖した遺伝子を見出し利用するか、雄性不稔遺伝子に連鎖するＤＮＡマーカーを開発して雄性不稔植物のみを選択するような工夫が必要である。現在レタスにおいてその研究がなされているが、その技術は未だ確立されていない。
上述のようにレタスの核遺伝子型雄性不稔性の遺伝様式が明らかになってから、長い年月が経過しているにもかかわらず、核遺伝子型雄性不稔レタスを利用したＦ１品種の開発には多くの課題が残されており、市場性の高いＦ１品種の開発は未だ困難である。
一方、細胞質雄性不稔性を利用したＦ１種子の生産は、ヒマワリ、テンサイ、ジャガイモ、イネ、コムギ、ニンジン、タマネギ、ネギなどでは古くから実用化され、商業的な生産システムが確立している。また、アブラナ科植物のキャベツ、ブロッコリー、ダイコン、ハクサイなどでは、自家不和合性を利用したＦ１品種の採種が広く用いられていたが、近年になり、より高品質な種子が求められるようになったことから、細胞質雄性不稔性を利用したＦ１種子の生産が拡大している。
一般に、安定的な雄性不稔性を持つ細胞質雄性不稔植物を作出できれば、連続戻し交雑を行うことにより、その細胞質雄性不稔性を多くの優良系統に導入し、Ｆ１品種作成のための種子親を育成することが可能となる。細胞質雄性不稔性は、細胞質遺伝するため、後代植物はすべて雄性不稔性を示す。細胞質雄性不稔系統は、当該系統と核ゲノムが同一であって細胞質が正常である維持系統との交配により、維持・増殖が容易である。上述の核遺伝子型雄性不稔性を利用する場合のように、採種圃場において種子親の可稔個体を抜き取る作業が必要ないため効率的であり、抜き取りミスによるＦ１種子の純度の低下の問題もなくなる。
以上のような背景から、細胞質雄性不稔植物を利用したＦ１種子の採種方法は、核遺伝子型雄性不稔性を利用した場合と比較して経済的・商業的実用性が極めて高いと言える。
上記のように高い有用性が期待されるにもかかわらず、レタスにおいては、細胞質雄性不稔レタスを用いたＦ１種子の採種法は開発されていない。これは、レタスについて、レタスの細胞質に導入されて細胞質雄性不稔性を引き起こすことが可能な細胞質を有する、交雑可能な近縁の素材が同種または同属内に存在しないからである。
一方、キク科のヒマワリ属のヒマワリ栽培種（Ｈｅｌｉａｎｔｈｕｓ  ａｎｎｕｕｓ  Ｌ．）においては、種間交雑により、数多くの細胞質雄性不稔植物が見出されており、Ｆ１品種が実用化されている。これらのことは非特許文献９〜１３等に報告されている。キク科野菜の細胞質雄性不稔植物の作出例としては、ヒマワリとチコリの細胞融合により、細胞質雄性不稔チコリが作出できることが知られている。このような技術は例えば、特許文献２、特許文献３、非特許文献１４から非特許文献１７に開示されている。
非特許文献１４は、細胞質雄性不稔チコリ作出の最初の報告であり、ヒマワリの細胞質を細胞融合技術によって、チコリに導入することにより細胞質雄性不稔チコリが作出できることを明らかにした。非特許文献１４はまた、作出された細胞質雄性不稔チコリにおけるミトコンドリアゲノムが、チコリのミトコンドリアゲノムとヒマワリのミトコンドリアゲノムとが組み換えられたものであることを報告している。さらに非特許文献１６、非特許文献１７では、前記細胞質雄性不稔チコリの後代での細胞質雄性不稔性の発現とミトコンドリアＤＮＡ構造の分析結果を報告している。
特許文献２にはキク科植物の細胞質雄性不稔植物及びその作出方法が記載されている。この特許文献２で実際に作成されたことが示されている細胞質雄性不稔植物は、非特許文献１４と同じ細胞質雄性不稔チコリのみである。特許文献２には、細胞質雄性不稔レタスについての言及はあるものの、プロトプラストの培養方法と融合処理の方法が現在形の文章で言及されているに過ぎず、実際に細胞質雑種レタスまたは細胞質雄性不稔レタスを作成するための方法及び実験結果は記載されていない。細胞融合技術においては、プロトプラストの単離・融合の工程までは、比較的容易に行うことができる。例えば、動物細胞と植物細胞のプロトプラストをそれぞれ単離し融合させることさえも可能である。しかし、系統学的に遠縁間での融合細胞を培養して分裂させ、さらに植物体を再生させる工程は技術的困難性が非常に高い。これは、融合処理のストレスが融合細胞の分裂を阻害したり、異種の核と細胞質の間での相互の遺伝的不親和性などが技術的困難性を高める原因となるためである。この困難性を克服して植物体を再生するためには、融合細胞の細胞膜を傷めないような融合方法の開発、新しいゲノムの組合せを有する融合細胞においても分裂や植物体の再生が可能となるような培養方法の開発が必要となる。すなわち、融合細胞の培養技術とそれに続く融合細胞からの植物体の再生技術は、細胞融合技術の中核となる技術である。さらに、雄性不稔性を発現させるためには、系統学的に適度な遠縁関係にある異種間のミトコンドリアゲノムの組換えや再編成を生じさせることが必要となる。すなわち、遠縁間の細胞質雑種植物が作出可能となっても、雄性不稔性を発現する植物を作出できるかどうかは予測できないため、実際に細胞質雑種植物を作出し、雄性不稔性を有する個体を選抜する工程が不可欠である。従って、特許文献２には、レタスの細胞質雄性不稔植物作出のために重要となる技術の開示が行なわれていない。これらの理由から、細胞質雄性不稔レタスの作出方法の開発は従来から強く望まれていたにもかかわらず、特許文献２の開示後もレタスの細胞質雄性不稔植物作出の成功に関する報告例は存在しない。
特許文献３ではヒマワリの細胞質雄性不稔性の原因遺伝子とされるｏｒｆ５２２を、非対称細胞融合によりチコリ属植物に導入し、細胞質雄性不稔チコリを作出する方法について開示されている。
非特許文献１５は新たな研究グループによる細胞質雄性不稔チコリの作出例であり、近年においても実用的な細胞質雄性不稔チコリの作出を目的に研究が続けられている。
以上のように、ヒマワリのミトコンドリアＤＮＡの一部を、細胞融合により導入した細胞質雄性不稔チコリの作出例は数多く報告されている。しかしながら、レタスはチコリと同じキク科に属するにもかかわらず、細胞質雄性不稔レタスの作出例は報告されていない。細胞質雄性不稔ヒマワリを用いた細胞質雄性不稔レタスの作出が困難であるのは、レタスの核ゲノムは、チコリの核ゲノムと比べて、ヒマワリのミトコンドリアゲノムと遺伝的親和性が低いことが原因であると思われる。
また、ヒマワリの細胞質雄性不稔遺伝子をチコリに導入して細胞質雄性不稔チコリを得た後、該チコリとレタスを交雑して細胞質雄性不稔性をレタスに導入する方法も考えられるが、レタスとチコリは属が異なる遠縁関係にあるため、有性的な交雑は困難であり、このような手法によって、細胞質雄性不稔レタスを作出する試みは成功例が知られていない。
以上のように、細胞質雄性不稔レタスの作出の技術的困難性は非常に高く、未だ成功例はない。しかしながら、細胞質雄性不稔レタスを利用したレタスのＦ１品種化のメリットは大きい。そこで、細胞質雄性不稔レタスの作出が強く望まれていた。
【特許文献１】特開２００５−１１０６２３号公報
【特許文献２】欧州特許第０７７１５２３号明細書
【特許文献３】国際公開ＷＯ９７／４５５４８号パンフレット
【特許文献４】特開昭６２−２３２３２４号公報
【特許文献５】特開昭６３−７９５４８号公報
【特許文献６】特開平２−３０３４２６号公報
【特許文献７】特開昭６３−３６７７６号公報
【特許文献８】特開昭６４−２００４１号公報
【特許文献９】特開平１−２１８５３０号公報
【特許文献１０】特開平１０−０５２１８５号公報
【特許文献１１】米国特許第５２５４８０２号明細書
【特許文献１２】特開平１０−１０８６７６号公報
【特許文献１３】特開平１０−１０８６７７号公報
【特許文献１４】特開２００１−１４５４９７号公報
【特許文献１５】特開平０２−１３８９２７号公報
【特許文献１６】特開平０１−２０６９３１号公報
【特許文献１７】国際公開ＷＯ９９／５５１４３号パンフレット
【特許文献１８】国際公開ＷＯ９５／０９９１０号パンフレット
【特許文献１９】国際公開ＷＯ９７／０９８７３号パンフレット
【特許文献２０】特許第３６３５０３６号公報
【非特許文献１】高田勝也，藤野雅丈（１９８７）レタスのＦ１種子の採種に関する研究（第１報）雄性不稔系を親としたＦ１の雑種強勢について，園学学会  昭和６２年度春季大会  研究発表要旨２０８−２０９
【非特許文献２】高田勝也，藤野雅丈（１９８６）レタスの雄性不稔性利用技術の開発（１）Ｆ１組み合わせにおける雑種強勢発現について，野菜・茶業試験場盛岡支場研究年報Ｎｏ．１．８７−９３．
【非特許文献３】Ｅｄｗｒｄ  Ｊ．Ｒｙｄｅｒ（１９６７）Ａ  ｒｅｃｅｓｓｉｖｅ  ｍａｌｅ  ｓｔｅｒｉｌｉｔｙ  ｇｅｎｅ  ｉｎ  Ｌｅｔｔｕｃｅ（Ｌａｃｔｉｃａ  ｓａｔｉｖａ  Ｌ．）Ｐｒｏ．Ａｍ．Ｓｏｃ．Ｈｏｒｔｉｃ．Ｓｃｉ．９１，３６６−３６８
【非特許文献４】Ｒｙｄｅｒ，Ｅ，Ｊ  Ｐｒｏｃｅｅｄｉｎｇ  ｏｆ  ｔｈｅ  Ａｍｅｒｉｃａｎ  ｓｏｃｉｅｔｙ  ｆｏｒ  ｈｏｒｔｉｃｕｌｔｕｒａｌ  Ｓｃｉｅｎｃｅ  １９６３  Ｖｏｌ．８３  ５８５−５８９  Ａｎ  ｅｐｉｓｔａｔｉｃａｌｌｙ  ｃｏｎｔｒｏｌｌｅｄ  ｐｏｌｌｅｎ  ｓｔｅｒｉｌｅ  ｉｎ  Ｌｅｔｔｕｃｅ（Ｌａｃｔｉｃａ  ｓａｔｉｖａ  Ｌ）
【非特許文献５】Ｒｙｄｅｒ，Ｅ，Ｊ  Ｓｃｉｅｎｃｅ  １９８９ｖｏｌ．１１４（１）１２９−１３３  Ｓｔｕｄｉｅｓ  ｏｆ  ｔｈｒｅｅ  ｎｅｗ  ｇｅｎｅｓ，ｌｉｎｋａｇｅ，ａｎｄ  ｅｐｉｓｔａｓｉｓ  ｉｎ  Ｌｅｔｔｕｃｅ
【非特許文献６】品種登録出願書類「ファイン」カネコ種苗  第１７４５号
【非特許文献７】芹沢  啓明  園芸学会雑誌第７３巻  別冊２  ｐ５６６  レタスの劣性雄性不稔遺伝子
【非特許文献８】Ｍａｔｓｕｍｏｔｏ，Ｅ  Ｐｌａｎｔ  ｃｅｌｌ  ｒｅｐｏｒｔｓ  １９９１．ｖｏｌ９（１０）Ｉｎｔｅｒｓｐｅｃｉｆｉｃ  ｓｏｍａｔｉｃ  ｈｙｂｒｉｄｉｚａｔｉｏｎ  ｂｅｔｗｅｅｎ  ｌｅｔｔｕｃｅ（Ｌａｃｔｉｃａ  ｓａｔｉｖａ）ａｎｄ  ｗｉｌｄ  ｓｐｅｃｉｅｓ  Ｌ．ｖｉｒｏｓａ
【非特許文献９】Ｌ．Ｈ．Ｒｉｅｓｅｂｅｒｇ，Ｃ．Ｖａｎ  Ｆｏｓｓｅｎ，Ｄ．Ａｒｉａｓ，ａｎｄ  Ｒ．Ｌ．Ｃａｒｔｅｒ  Ｔｈｅ  ｊｏｕｒｎａｌ  ｏｆ  ｈｅｒｅｄｉｔｙ１９９４：８５（３）２３３−２３８  Ｃｙｔｏｐｌａｓｍｉｃ  ｍａｌｅ  ｓｔｅｒｉｌｉｔｙ  ｉｎ  Ｓｕｎｆｌｏｗｅｒ：ｏｒｉｇｉｎ，Ｉｎｈｅｒｉｔａｎｃｅ，ａｎｄ  Ｆｒｅｑｕｅｎｃｙ  ｉｎ  Ｎａｔｕｒａｌ  Ｐｏｐｕｌａｔｉｏｎｓ
【非特許文献１０】Ｒ．Ｈｏｒｎ  Ｔｈｅｏｒ  Ａｐｐｌ  Ｇｅｎｅｔ（２００２）１０４：５６２−５７０  Ｍｏｌｅｃｕｌａｒ  ｄｉｖｅｒｓｉｔｙ  ｏｆ  ｍａｌｅ  ｓｔｅｒｉｌｉｔｙ  ｉｎｄｕｃｉｎｇ  ａｎｄ  ｍａｌｅ−ｆｅｒｔｉｌｅ  ｃｙｔｏｐｌａｓｍｓ  ｉｎ  ｔｈｅ  ｇｅｎｕｓ  Ｈｅｌｉａｎｔｈｕｓ
【非特許文献１１】Ｓ．Ｓｕｋｎｏ，Ｊ．Ｒｕｓｏ  Ｅｕｐｈｙｔｉｃａ（１９９９）１０６：６９−７８  Ｉｎｔｅｒｓｐｅｃｉｆｉｃ  ｈｙｂｒｉｄｉｚａｔｉｏｎ  ｂｅｔｗｅｅｎ  ｓｕｎｆｌｏｗｅｒ  ａｎｄ  ｗｉｌｄ  ｐｅｒｅｎｎｉａｌ  Ｈｅｒｉａｎｔｈｕｓ  ｓｐｅｃｉｅｓ  ｖｉａ  ｅｍｂｒｙｏ  ｒｅｓｃｕｅ
【非特許文献１２】Ｒ．Ｈｏｒｎ  Ｗ．Ｆｒｉｅｄｔ  Ｐｌａｎｔ  Ｂｒｅｅｄｉｎｇ  １１６（１９９７）３１７−３２２  Ｆｅｒｔｉｌｉｔｙ  ｒｅｓｔｏｒａｔｉｏｎ  ｏｆ  ｎｅｗ  ＣＭＳ  ｓｏｕｒｃｅｓ  ｉｎ  ｓｕｎｆｌｏｗｅｒ（Ｈｅｌｉａｎｔｈｕｓ  ａｎｎｕｕｓ  Ｌ．）
【非特許文献１３】Ｈｏｒｎ，Ｒ  Ｐｌａｎｔ  ｍｏｌｅｃｕｌａｒ  ｂｉｏｌｏｇｙ；ａｎ  ｉｎｔｅｒｎａｔｉｏｎａｌ  ｊｏｕｒｎａｌ  ｏｎ  ｆｕｎｄａｍｅｎｔａｌ  ｒｅｓｅａｒｃｈ  ａｎｄ  ｇｅｎｅｔｉｃ  ｅｎｇｉｎｅｅｒｉｎｇ  Ｊｕｌｙ  １９９１  ｖ１７（１）２９−３６  Ａ  ｍｉｔｏｃｈｏｎｄｒｉａｌ  １６ｋＤａｐｒｏｔｅｉｎ  ｉｓ  ａｓｓｏｃｉａｔｅｄ  ｗｉｔｈ  ｃｙｔｏｐｌａｓｍｉｃ  ｍａｌｅ  ｓｔｅｒｉｌｉｔｙ  ｉｎ  ｓｕｎｆｌｏｗｅｒ．
【非特許文献１４】Ｃ．Ｒａｍｂａｕｄ，Ｊ．Ｄｕｂｏｉｓ，Ｊ．Ｖａｓｓｅｕｒ（１９９３）Ｍａｌｅ−ｓｔｅｒｉｌｅ  ｃｈｉｃｏｒｙ  ｃｙｂｒｉｄｓ  ｏｂｔａｉｎｅｄ  ｂｙ  ｉｎｔｅｒｇｅｎｅｒｉｃ  ｐｒｏｔｏｐｌａｓｔ  ｆｕｓｉｏｎ，Ｔｈｅｏｒ  Ａｐｐｌ  Ｇｅｎｅｔ  ８７：３４７−３５２
【非特許文献１５】Ｓ．Ｖａｒｏｔｔｏ，Ｅ．Ｎｅｎｚ，Ｍ．Ｌｕｃｃｈｉｎ，Ｐ．Ｐａｒｒｉｎｉ（２００１）Ｐｒｏｄｕｃｔｉｏｎ  ｏｆ  ａｓｙｍｍｅｔｒｉｃ  ｓｏｍａｔｉｃ  ｈｙｂｒｉｄ  ｐｌａｎｔｓ  ｂｅｔｗｅｅｎ  Ｃｉｃｈｏｒｉｕｍ  ｉｎｔｙｂｕｓ  Ｌ．ａｎｄ  Ｈｅｌｉａｎｔｈｕｓ  ａｎｎｕｕｓ  Ｌ．，Ｔｈｅｏｒ  Ａｐｐｌ  Ｇｅｎｅｔ  １０２：９５０−９５６
【非特許文献１６】Ｃ．Ｒａｍｂａｕｄ，Ａ．Ｂｅｌｌａｍｙ，Ａ．Ｄｕｂｒｅｕｃｑ，Ｊ．−Ｃ．Ｂｏｕｒｑｕｉｎ  ａｎｄ  Ｊ．Ｖａｓｓｅｕｒ（１９９７）Ｍｏｌｅｃｕｌａｒ  ａｎａｌｙｓｉｓ  ｏｆ  ｔｈｅ  ｆｏｕｒｔｈ  ｐｒｏｇｅｎｙ  ｏｆ  ｐｌａｎｔｓ  ｄｅｒｉｖｅｄ  ｆｒｏｍ  ａ  ｃｙｔｏｐｌａｓｍｉｃ  ｍａｌｅ  ｓｔｅｒｉｌｅ  ｃｈｉｃｏｒｙ  ｃｙｂｒｉｄ，Ｐｌａｎｔ  Ｂｒｅｅｄｉｎｇ  １１６：４８１−４８６
【非特許文献１７】Ａ．Ｄｕｂｒｅｕｃｑ  Ｔｈｅｏｒ  Ａｐｐｌ  Ｇｅｎｅｔ（１９９９）：１０９４−１１０５  Ａｎａｌｙｓｅｓ  ｏｆ  ｍｉｔｏｃｈｏｎｄｒｉａｌ  ＤＮＡ  ｓｔｒｕｃｔｕｒｅ  ａｎｄ  ｅｘｐｒｅｓｓｉｏｎ  ｉｎ  ｔｈｒｅｅ  ｃｙｔｏｐｌａｓｍｉｃ  ｍａｌｅ−ｓｔｅｒｉｌｅ  ｃｈｉｃｏｒｉｅｓ  ｏｒｉｇｉｎａｔｉｎｇ  ｆｒｏｍ  ｓｏｍａｔｉｃ  ｈｙｖｒｉｄｉｓａｔｉｏｎ  ｂｅｔｗｅｅｎ  ｆｅｒｔｉｌｅ  ｃｈｉｃｏｌｙ  ａｎｄ  ＣＭＳ  ｓｕｎｆｌｏｗｅｒ  ｐｒｏｔｏｐｌａｓｔｓ
【非特許文献１８】水谷  高幸  Ｂｕｌｌ．Ｆａｃ．Ａｇｒ．，Ｓａｇａ  Ｕｎｉｖ  ６７：１０９−１１８（１９８９）レタス及び日本産近縁野生種のプロトプラストからの植物体再生及び細胞融合
【発明の開示】
【０００３】
本発明は上記のような従来技術の問題点に鑑みて、レタスのＦ１種子の生産に有用な細胞質雑種Ｌａｃｔｕｃａ属植物レタス及びその作出方法を提供することを目的とする。
本発明者は、上記の課題を解決するため鋭意検討を行った結果、ヒマワリとレタスの融合雑種細胞の培養方法、細胞質雑種植物の再生方法の技術により、安定した細胞質雄性不稔レタスを作出し、これを利用してレタスのＦ１種子が効率的に得られることを見出し、本発明を完成するに至った。
すなわち本発明は以下の発明を包含する。
（１）Ｈｅｌｉａｎｔｈｕｓ属植物由来のプロトプラストとＬａｃｔｕｃａ属植物由来のプロトプラストを細胞融合し、次いで融合細胞を培養し、培養された融合細胞から植物体を再生することを特徴とする細胞質雑種Ｌａｃｔｕｃａ属植物の作出方法。
（２）Ｈｅｌｉａｎｔｈｕｓ属植物由来のプロトプラストがＨ．ａｎｎｕｕｓ  Ｌ．に由来するプロトプラストであるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統に由来するプロトプラストである（１）記載の方法。
（３）Ｌａｃｔｕｃａ属植物由来のプロトプラストがＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するプロトプラストである（１）または（２）記載の方法。
（４）Ｈｅｌｉａｎｔｈｕｓ属植物が細胞質雄性不稔性を有する、（１）〜（３）のいずれかに記載の方法。
（５）Ｈｅｌｉａｎｔｈｕｓ属植物がミトコンドリアに雄性不稔遺伝子を有する、（４）記載の方法。
（６）細胞質雑種Ｌａｃｔｕｃａ属植物が細胞質雄性不稔性を有する、（１）〜（５）のいずれかに記載の方法。
（７）（１）〜（６）のいずれかに記載の方法により作出された細胞質雑種Ｌａｃｔｕｃａ属植物、その後代、またはそれらの植物体の一部。
（８）細胞質雑種Ｌａｃｔｕｃａ属植物またはその後代の植物体の一部が、該植物体の細胞または細胞質を含むものである、（７）記載の細胞質雑種Ｌａｃｔｕｃａ属植物またはその後代の植物体の一部。
（９）Ｈｅｌｉａｎｔｈｕｓ属植物のミトコンドリアに由来する遺伝子を細胞質内に有する細胞質雑種Ｌａｃｔｕｃａ属植物、その後代、またはそれらの植物体の一部。
（１０）Ｈｅｌｉａｎｔｈｕｓ属植物がＨ．ａｎｎｕｕｓ  Ｌ．であるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統である（９）記載の細胞質雑種Ｌａｃｔｕｃａ属植物、その後代、またはそれらの植物体の一部。
（１１）細胞質雑種Ｌａｃｔｕｃａ属植物がＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するものである（９）または（１０）記載の細胞質雑種Ｌａｃｔｕｃａ属植物、その後代、またはそれらの植物体の一部。
（１２）Ｈｅｌｉａｎｔｈｕｓ属植物のミトコンドリアに由来する遺伝子が雄性不稔遺伝子である（９）〜（１１）のいずれかに記載の細胞質雑種Ｌａｃｔｕｃａ属植物、その後代、またはそれらの植物体の一部。
（１３）細胞質雄性不稔性を有する、（９）〜（１２）のいずれかに記載の細胞質雑種Ｌａｃｔｕｃａ属植物、その後代、またはそれらの植物体の一部。
（１４）細胞質雑種Ｌａｃｔｕｃａ属植物またはその後代の植物体の一部が、該植物体の細胞または細胞質を含むものである、（９）〜（１３）のいずれかに記載の細胞質雑種Ｌａｃｔｕｃａ属植物またはその後代の植物体の一部。
（１５）受託番号ＦＥＲＭ  ＢＰ−１０４２１である細胞質雑種Ｌａｃｔｕｃａ属植物の種子、該種子から生育させた細胞質雑種Ｌａｃｔｕｃａ属植物、その後代、またはそれらの植物体の一部。
（１６）細胞質雑種Ｌａｃｔｕｃａ属植物またはその後代の植物体の一部が、該植物体の細胞または細胞質を含むものである（１５）記載の細胞質雑種Ｌａｃｔｕｃａ属植物またはその後代の植物体の一部。
（１７）受託番号ＦＥＲＭ  ＢＰ−１０６４７である細胞質雑種Ｌａｃｔｕｃａ属植物の種子、該種子から生育させた細胞質雑種Ｌａｃｔｕｃａ属植物、その後代、またはそれらの植物体の一部。
（１８）細胞質雑種Ｌａｃｔｕｃａ属植物またはその後代の植物体の一部が、該植物体の細胞または細胞質を含むものである、（１７）記載の細胞質雑種Ｌａｃｔｕｃａ属植物またはその後代の植物体の一部。
（１９）（６）記載の方法により作出された細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
（２０）（１３）記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
（２１）（１５）記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
（２２）（１７）記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
（２３）（１９）〜（２２）のいずれかに記載の方法により作出された雑種第一代種子または該種子から生育させた雑種第一代植物。
本明細書は本願の優先権の基礎である日本国特許出願２００５−３１１５９８号の明細書および／または図面に記載される内容を包含する。
【図面の簡単な説明】
【０００４】
図１は、供試材料に用いた細胞質雄性不稔ヒマワリ２系統と雄性可稔ヒマワリ１系統、レタスの栽培品種１３品種からＤＮＡを抽出し、ヒマワリミトコンドリア遺伝子ｏｒｆ５２２に特異的なプライマー（上図）及びｏｒｆ８７３に特異的なプライマー（下図）を用いてＰＣＲを行った結果を示す電気泳動写真である。
図２は、ヒマワリミトコンドリア遺伝子ｏｒｆ５２２及びｏｒｆ８７３に特異的なプライマーを用いて、細胞質雑種植物の検定を行った結果の一例を示す電気泳動写真である。
図３は、供試材料に用いた細胞質雄性不稔ヒマワリ２系統と雄性可稔ヒマワリ１系統、レタスの栽培品種１３品種からＤＮＡを抽出し、葉緑体遺伝子ｒｂｃＬに特異的なプライマーを用いてＰＣＲを行い、その増幅産物をＴａｑＩで切断したときのＰＣＲ−ＲＦＬＰパターンを示す電気泳動写真である。
図４は、レタス栽培品種‘テルミー’の花の形態を示した図である（Ａ：花序、Ｂ：頭花、Ｃ：頭花の中心部（倍率×２０）、Ｄ：雌蕊と葯筒（倍率×６４））。
図５は、細胞質雄性不稔レタスの花の形態を示した図である（Ａ：花序、Ｂ：頭花、Ｃ：頭花の中心部（倍率×２０）、Ｄ：花粉の付着した雌蕊と葯筒（倍率×６４））。
図６は、細胞質雄性不稔レタスの染色体の観察結果を示す図である。
図７は、細胞質雄性不稔レタスに、雄性可稔レタスの花粉を交配することによって後代種子が得られることを示した図である。
図８は、細胞質雄性不稔レタスのＢＣ３世代１４個体の葉からＤＮＡを抽出し、ヒマワリミトコンドリア遺伝子ｏｒｆ８７３に特異的なプライマーを用いてＰＣＲを行った結果を示す電気泳動写真である。
図９Ａは、細胞質雄性不稔レタスのＢＣ３世代１４個体の葉からＤＮＡを抽出し、ミトコンドリア遺伝子ａｔｐ６、ｃｏｘ  ＩＩ、ｃｏｂに特異的なプライマーを用いてＰＣＲを行った結果を示す電気泳動写真である。ミトコンドリア遺伝子ａｔｐ６、ｃｏｘ  ＩＩ、ｃｏｂの場合は、ＰＣＲ増幅産物をさらに制限酵素で消化したＰＣＲ−ＲＦＬＰの結果である。
図９Ｂは、細胞質雄性不稔レタスのＢＣ３世代１４個体の葉からＤＮＡを抽出し、ミトコンドリア遺伝子ｒｐｓ３、ｔｒｎＮとｔｒｎＹ、ｔｒｎＳとｔｒｎＰに特異的なプライマーを用いてＰＣＲを行った結果を示す電気泳動写真である。
図１０は、細胞質雄性不稔レタスのＢＣ３世代１４個体の葉からＤＮＡを抽出し、葉緑体遺伝子ｒｂｃＬに特異的なプライマーを用いてＰＣＲを行い、その増幅産物をＴａｑＩで切断したときのＰＣＲ−ＲＦＬＰパターンを示す電気泳動写真である。
図１１は、細胞質雄性不稔レタス‘１２１６−２−Ｔ１’×‘テルミー’のＦ１植物の花器と雌蕊の形態を示した図である。
図１２は、細胞質雄性不稔レタス‘１２１６−２−Ｔ１’×‘ステディー’のＦ１植物の花器と雌蕊の形態を示した図である。
図１３は、細胞質雄性不稔レタス‘１２１６−２−Ｔ１’×‘ロジック’のＦ１植物の花器と雌蕊の形態を示した図である。
図１４は、細胞質雄性不稔レタス‘１２１６−２−Ｔ１’×‘マイヤー’のＦ１植物の花器と雌蕊の形態を示した図である。
図１５は、細胞質雄性不稔レタス‘１２１６−２−Ｔ１’とレタス野生種Ｌ．ｓｅｒｒｉｏｌａとの交雑種の植物体、花器、雌蕊の形態を示した図である。
【発明を実施するための最良の形態】
【０００５】
本発明による融合雑種細胞及び細胞質雑種植物は、下記の手段からなる方法により作成することができる。
（１）プロトプラストの調製
（２）プロトプラストの融合処理
（３）融合雑種細胞の培養
（４）マイクロカルスからの植物体の再生
（５）細胞質雑種植物の選抜
（６）優良系統の選抜
（７）細胞質雄性不稔植物の利用とＦ１種子の生産
各工程の詳細は下記の通りである。
（１）プロトプラストの調製
（ｉ）Ｌａｃｔｕｃａ属植物由来のプロトプラストの単離
プロトプラストの調製に用いるＬａｃｔｕｃａ属植物は、Ｌａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物であることが好ましく、なかでも、レタスの栽培種であるＬ．ｓａｔｉｖｅ  Ｌ．が好ましい。Ｌ．ｓａｔｉｖｅ  Ｌ．は、ｖａｒ．ａｎｇｕｓｔａｎａ（アスパラレタス、茎レタス等を含む。），ｖａｒ．ｌｏｎｇｉｆｏｌｉａ（コス、ロメインレタス、立レタス等を含む。），ｖａｒ．ｃｒｉｓｐａ（葉レタス（リーフレタス、ルースリーフレタス）等を含む。）、ｖａｒ．ｃａｐｉｔａｔａ（ヘッドレタス、玉レタス、バターヘッド、サラダナ、クリスプヘッド、キャベツタイプレタス等を含む。）などに類別されており、これらはいずれも生態的に分化した同一種内での変種である。本発明にはＬ．ｓａｔｉｖｅ  Ｌ．に属するいずれの変種も好適に用いることができる。なお、エンダイブやチコリーなどはレタスに類似した特性も認められるが、Ｌａｃｔｕｃａ属には属さないため、レタスには含められていない（野菜園芸大百科７  レタス・セルリー  １９８９年４月３０日第１刷発行  発行所  社団法人  農山魚村文化協会  Ｐ８７）。
プロトプラストを得るために使用する細胞組織としては、収量性が高く、分裂活性が高い葉肉組織を供試することが望ましいが、胚軸や茎、カルスなどの他の組織も材料として用いてもよい。
プロトプラストを単離する方法は通常用いられる方法（非特許文献８、１８）などで良く、特に制限されない。まず、レタスの細胞組織を細切し、酵素処理することによってプロトプラストを単離する。ここでは、プロトプラスト単離用酵素溶液を使用する。この溶液は主に細胞壁分解酵素、浸透圧調整剤を含む無機塩緩衝液である。細胞壁分解酵素としては、植物の細胞壁の分解に使用できるものであれば特に制限されないが、セルラーゼ、ヘミセルラーゼ、ペクチナーゼ等が挙げられる。本発明では、メイセラーゼとマセロザイムＲ−１０の組み合わせが好ましい。浸透圧調整剤としては、一般的な糖アルコール類、例えばマンニトール、ソルビトール、グルコース等を用いることができ、マンニトールが好ましく、０．３Ｍ〜０．７Ｍの濃度のマンニトールが特に好ましい。さらに、酵素溶液には、プロトプラストの膜の安定化のために、無機塩を添加することが望ましく、例えば表１記載の組成のＣＰＷ塩（Ｃｏｃｋｉｎｇ  ａｎｄ  Ｐｅｂｅｒｄｙ，１９７４）を添加すると好適である。酵素処理は、２５〜３０℃で８〜２０時間静置処理すると好適である。
【表１】
2007049730.tif 000002
酵素処理により単離したプロトプラストを３０〜１００μｍの孔径のナイロンメッシュで濾過し、遠心分離してプロトプラストを集めて酵素液を除く。次にプロトプラストを洗浄液に懸濁し、プロトプラストを洗浄する。洗浄液としては、一般的に用いられるＣＰＷ塩溶液に浸透圧調整剤として糖アルコール類を添加したものを用いることもできるが、後に単離するＨｅｌｉａｎｔｈｕｓ属植物由来プロトプラストとの融合時に下記組成のＳ液（文献：Ｌｅｎｅｅ  Ｐ，Ｃｈｕｐｅａｕ  Ｙ，Ｐｌａｎｔ  Ｓｃｉ．４３：６９−７５（１９８６）参照）を用いることが望ましいため、ここでは洗浄液として表２記載の組成を有するＳ液を用いるのが好ましい。
【表２】
2007049730.tif 000003
次に、Ｌａｃｔｕｃａ属植物プロトプラストの単独での分裂を防ぐために不活化処理を行うことが望ましい。不活化処理は、ヨード酢酸、ヨードアセトアミド等のヨード化合物を溶解したＣＰＷ塩溶液などにプロトプラストを懸濁させることで行える。本発明ではヨードアセトアミドを５ｍＭ〜３０ｍＭの濃度に調整したＣＰＷ溶液に懸濁し５〜２０分間処理を行うと好適である。
次に遠心分離を利用してＳ液での洗浄操作を１〜３回繰り返すことが好ましい。プロトプラストの懸濁液には、導管や細胞の断片も混入するため、さらに密度勾配遠心分離法等により、プロトプラストを精製する。精製に用いる試薬には、糖類、合成コロイド等が挙げられるが、本発明ではショ糖液の利用が好適であり、１５％〜２０％のショ糖液の利用が特に好適である。プロトプラストの精製後、血球計算盤によって細胞密度を計測し、細胞融合に適した細胞密度になるようにＳ液によって液量を調整する。プロトプラストの細胞密度は、１×１０５〜１×１０７細胞／ｍｌが好ましく、液量の調整にはＳ液の利用が好ましい。
（ｉｉ）Ｈｅｌｉａｎｔｈｕｓ属植物由来のプロトプラストの単離
本発明の細胞質提供材料として利用できるのは、Ｈｅｌｉａｎｔｈｕｓ属植物である。Ｈｅｌｉａｎｔｈｕｓ属植物のなかでもヒマワリの栽培品種であるＨｅｌｉａｎｔｈｕｓ  ａｎｎｕｕｓ  Ｌ．あるいは、Ｈ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統が好ましい。
本発明に用いられるＨｅｌｉａｎｔｈｕｓ属植物は細胞質雄性不稔系統であることが好ましい。従来Ｈ．ａｎｎｕｕｓ  Ｌ．においては、多数の細胞質雄性不稔系統が作出されている。それらは栽培種の自然突然変異や種々の種間交雑後代から得られることが知られている。具体的には、Ｈ．ａｎｎｕｕｓ  Ｌ．の自然突然変異体あるいは、上述のＨ．ａｎｎｕｕｓ  Ｌ．の各種細胞質置換系統から育成された細胞質雄性不稔系統が知られており、分子生物学的手法によりその多様性も報告されている（非特許文献１０）。すなわちＨ．ａｎｎｕｕｓ  Ｌ．においては、すでに多くの細胞質雄性不稔性を有する細胞質置換系統が育成されている。本発明においては、Ｈｅｌｉａｎｔｈｕｓ属植物の種々の細胞質置換系統を細胞質提供材料として使用することができる。
本発明において細胞質雄性不稔性の細胞質雑種Ｌａｃｔｕｃａ属植物を得るためには、細胞質提供材料として細胞質雄性不稔遺伝子を有するＨｅｌｉａｎｔｈｕｓ属植物を用いるのが好ましいが、これらに限定されるものではない。Ｈｅｌｉａｎｔｈｕｓ属植物由来のプロトプラストと、Ｌａｃｔｕｃａ属植物由来のプロトプラストとを細胞融合する際に両植物中のミトコンドリアゲノム間でゲノムの組換えや再編成が引き起こされた結果、細胞質雄性不稔性を発現する系統が得られる場合もある。こうして作出される細胞質雄性不稔性の雑種Ｌａｃｔｕｃａ属植物もまた本発明に包含される。
また細胞融合に用いられるＨｅｌｉａｎｔｈｕｓ属植物細胞は放射線処理により核ゲノムを不活化したものを用いることができる。Ｈｅｌｉａｎｔｈｕｓ属植物細胞の核ゲノムを不活化することにより、Ｈｅｌｉａｎｔｈｕｓ属植物細胞とＬａｃｔｕｃａ属植物細胞の細胞融合後、Ｈｅｌｉａｎｔｈｕｓ属植物の核ゲノムに影響を受けることなく、Ｌａｃｔｕｃａ属植物の核ゲノムが有する再分化能力によりＨｅｌｉａｎｔｈｕｓ属植物由来の細胞質遺伝子を有するＬａｃｔｕｃａ属植物の植物体の再生が可能である。
以上の通り本発明においては、Ｈｅｌｉａｎｔｈｕｓ属植物の様々な素材を細胞質提供細胞として選択することが可能であり、多様な遺伝的背景を持った細胞質雑種Ｌａｃｔｕｃａ属植物の作出が可能である。
Ｈｅｌｉａｎｔｈｕｓ属植物由来のプロトプラストを調製するには、まず、Ｈｅｌｉａｎｔｈｕｓ属植物の細胞組織を細切し、プロトプラスト単離用酵素溶液に浸漬することによってプロトプラストを単離する。使用する細胞組織としては、収量性が高く細胞膜が丈夫であるため、胚軸を供試することが好ましいが、葉や茎などの他の組織を材料としてもよい。細胞壁分解酵素は、Ｌａｃｔｕｃａ属植物の場合と同様に、植物の細胞壁の分解に使用できるものであれば特に制限されないが、本発明では、ドリセラーゼとマセロザイムＲ−１０の組み合わせで用いるのが好ましい。また、Ｈｅｌｉａｎｔｈｕｓ属植物の胚軸から分離したプロトプラストは比重が軽いため、細胞壁分解酵素はＫＣｌやＮａＣｌなどの無機塩を主体として浸透圧を調整した溶液、例えば本発明ではＳ液を用いるのが好適である。酵素処理は、２５〜３０℃で８〜２０時間静置処理すると好適である。酵素処理により単離したプロトプラストを、３０〜１００μｍの孔径のナイロンメッシュで濾過する。Ｈｅｌｉａｎｔｈｕｓ属植物由来プロトプラストの核遺伝子は不要であるため、単離したプロトプラストは放射線の照射により核遺伝子を不活化させることが望ましい。照射する放射線としては、Ｘ線、γ線、紫外線等が挙げられるが、核遺伝子を不活化できれば、特に限定されるものではない。照射線量は核を不活化できる範囲で、できる限り低照射量で行うことが好ましい。例えば、本発明での軟Ｘ線の照射の場合０．１Ｇｙ〜０．６Ｇｙの照射量が好ましい。
（２）プロトプラストの融合処理
次に以上のように不活化処理した両種のプロトプラストの細胞融合を行う。融合方法としては、公知の電気融合法（Ｐｌａｎｔａ，１５１，２６−３２，１９８１）、ＰＥＧ法（Ｐｌａｎｔａ，１２０，２１５−２２７，１９７４）、デキストラン法（Ｊａｐ．Ｊ．Ｇｅｎｅｔ．，５０，２３５，１９７５）などが挙げられ特に限定されないが、本発明ではＰＥＧ法を改変した方法を用いるのが好ましい。
（３）融合雑種細胞の培養
融合処理した細胞は、Ｌａｃｔｕｃａ属植物由来のプロトプラストの培養に好適な培地で培養することが好ましい。Ｌａｃｔｕｃａ属植物由来のプロトプラストの培養方法としては様々な方法が知られており、本発明にはいずれの方法も好適に用いることができるが、本発明に用いるには、公知の方法（Ｎｉｓｈｉｏ，Ｔ．，ｅｔ  ａｌ．，Ｊａｐａｎｅｓｅ  ｊｏｕｒｎａｌ  ｏｆ  ｂｒｅｅｄｉｎｇ，３８，１６５−１７１）に改良を加えた方法が好ましい。このＮｉｓｈｉｏらの方法は、Ｌａｃｔｕｃａ属植物のプロトプラストの効率的な培養方法として優れている。しかしながらＮｉｓｈｉｏらの方法は本発明に直接適用することはできない。なぜなら、Ｎｉｓｈｉｏらの報告において培養する、融合処理を行わないＬａｃｔｕｃａ属植物単独のプロトプラストは細胞膜の損傷が少なく、培養初期からゲランガムを含む固体培地での培養が可能であるのに対して、本発明において培養する融合処理後の細胞は、処理のストレスにより細胞膜が壊れやすくなっているため、Ｎｉｓｈｉｏらの方法では融合細胞をゲランガムと混合する際に、融合細胞が破裂して効率的な培養を行うことが困難であるからである。そのため本発明においては、融合処理後の細胞をゲランガムを含まない液体培地で初期培養し、細胞膜の再生を促した後、培養３〜７日後に培地にゲランガムを添加すると好適である。Ｎｉｓｈｉｏらの方法にこのような改良を加えることによって、融合細胞を効率的に培養することが可能となる。融合細胞は分裂を繰り返し、マイクロカルスを形成するので浸透圧を低減した新しい培地に継代すると好適である。
（４）マイクロカルスからの植物体の再生
マイクロカルスが数ｍｍにまで生長した段階で、再分化培地に移植し再分化させる。再分化培地は、材料とするＬａｃｔｕｃａ属植物やマイクロカルスの状態により反応の差はあるが、例えば０．３〜１．０ｍｇ／ｌのＢＡを含むＭＳ培地（Ｍｕｒａｓｌｇｅ，Ｔ．＆  Ｓｋｏｏｇ，Ｐｈｙｓｉｏｌ．Ｐｌａｎｔ．，１５，４７３−４９７（１９６２））などを用いると好適である。再生したシュートは発根培地、例えば１／２濃度のＭＳ培地などに移植して発根させ、植物体を再生させる。再生した植物体は、順化して温室内へ植え出す。
（５）細胞質雑種植物の選抜
上記の手順で再生した植物体、ならびに材料に使用したＨｅｌｉａｎｔｈｕｓ属植物およびＬａｃｔｕｃａ属植物の葉からＤＮＡを抽出する。例えばＨ．ａｎｎｕｕｓ  Ｌ．のミトコンドリアに特異的な遺伝子としては、例えばｏｒｆ５２２，ｏｒｆ７０８，ｏｒｆ８７３などが挙げられるが、これらの遺伝子をマーカーとしてＰＣＲ法によって検出することによって、Ｈ．ａｎｎｕｕｓ  Ｌ．のミトコンドリア遺伝子が導入された細胞質雑種植物を判別することができる。まず、標的とする遺伝子を特異的に増幅するプライマーを設計してＰＣＲを行う。次に電気泳動を行って予想されるサイズのバンドを確認する。このようにして、Ｌａｃｔｕｃａ属植物の植物体にＨｅｌｉａｎｔｈｕｓ属植物のミトコンドリアＤＮＡが導入されている個体を選抜できる。また、ＰＣＲ−ＲＦＬＰ法（Ｔｓｕｍｕｒａ，Ｙ．，Ｙｏｓｈｉｍｕｒａ，Ｋ．Ｔｏｍａｒｕ，Ｎ．ｅｔ  ａｌ．，Ｔｈｅｏｒ．Ａｐｐｌ．Ｇｅｎｅｔ．９１，１２２２−１２３６，１９９５）を用いて、Ｈｅｌｉａｎｔｈｕｓ属植物由来のミトコンドリアＤＮＡを、Ｌａｃｔｕｃａ属植物由来のミトコンドリアＤＮＡと識別して検出してもよい。
また、ＰＣＲ分析により選抜した細胞質雑種植物の葉緑体が、Ｌａｃｔｕｃａ属植物由来であることをＰＣＲ−ＲＦＬＰ法を用いて確認することが望ましい。ＰＣＲ−ＲＦＬＰ法に利用される葉緑体遺伝子としてはｒｂｃＬ，ｍａｔＫなどが挙げられるが、Ｈｅｌｉａｎｔｈｕｓ属植物とＬａｃｔｕｃａ属植物の間で多型を検出できるものであれば特に限定されない。標的の葉緑体遺伝子領域を特異的に増幅するプライマーを設計してＰＣＲを行う。ＰＣＲの増幅産物を制限酵素処理し、制限酵素サイトの違いによるＲＦＬＰを検出して、葉緑体の由来を確認する。核遺伝子との親和性の点からＬａｃｔｕｃａ属植物由来の葉緑体を有する個体を選抜することが望ましい。
以上のＤＮＡでの確認は、順化した植物体で行うことができるが、カルスの段階で行ってもよい。また更にフローサイトメトリーや染色体の観察などにより、倍数性の検定も行っておくことが望ましい。
（６）優良系統の選抜
得られた細胞質雑種植物の中から、雄性不稔形質を有し、その他の器官が形態的な異常を伴わない系統を選抜する。特に維性不稔性のように生殖器官に障害があると、雌性稔性すなわち種子の結実性も低下することが多い傾向にあるので、雌性稔性の高い系統を選抜することが重要である。ＰＣＲ−ＲＦＬＰ分析などにより、細胞質雑種植物のミトコンドリアゲノムを分析し、そのデータを選抜の判断材料とするとより効率的な選抜が可能である。例えば、Ｈｅｌｉａｎｔｈｕｓ属植物のミトコンドリア遺伝子の一部が導入されたことにより、雄性不稔形質が発現しているにもかかわらず、ミトコンドリア遺伝子の多くがＬａｃｔｕｃａ属植物と同一である個体は、Ｌａｃｔｕｃａ属植物の核との親和性が高く、雄性不稔性以外の形質が正常である可能性が高い。
更に、選抜した雄性不稔個体に、正常細胞質のレタスの花粉を交配し、交雑後代において雄性不稔性が細胞質遺伝していることを確認する。また、多数の交雑後代を様々な環境下で栽培し、雄性不稔性が安定しているか確認する。
優良系統を選抜できる可能性を高めるには、選抜の候補となる細胞質雑種Ｌａｃｔｕｃａ属植物の数を多くする手法が有効である。また、比較的少数の候補となる細胞質雑種Ｌａｃｔｕｃａ属植物の中から細胞質雄性不稔性を有する優良系統植物を一次選抜した後、当該優良系統植物の細胞質をさらに改良してより望ましい優良系統を得る手法も有効である。どちらの手法を採用しても優良系統を選抜することができるし、２つの手法を組み合わせてもよい。細胞質雄性不稔性の細胞質雑種Ｌａｃｔｕｃａ属植物の細胞質をさらに改良するための好ましい方法としては、細胞質雄性不稔性の細胞質雑種Ｌａｃｔｕｃａ属植物を細胞質提供素材として用いて、任意のレタスとの非対称細胞融合を行うことなどが挙げられる。このような非対称細胞融合を行なうことにより、例えばミトコンドリアゲノムに組み換えやゲノムの再編成が引き起こされ、細胞質雄性不稔性を保持し、レタスの核遺伝子との親和性がより高い細胞質を有する系統を選抜できる可能性が高まる。
上記手順により作出され選抜された細胞質雑種Ｌａｃｔｕｃａ属植物はＨｅｌｉａｎｔｈｕｓ属植物の細胞質、好ましくはミトコンドリア、に由来する遺伝子を細胞質内に有する。当該細胞質雑種Ｌａｃｔｕｃａ属植物はＬａｃｔｕｃａ属植物の核ゲノムを有し、好ましくは更にＬａｃｔｕｃａ属植物の葉緑体ゲノムを有する。本発明はまた当該細胞質雑種Ｌａｃｔｕｃａ属植物、その後代、またはそれらの植物体の一部に関する。本発明において「細胞質雑種Ｌａｃｔｕｃａ属植物の後代」とは、細胞質雑種Ｌａｃｔｕｃａ属植物に交配可能なＬａｃｔｕｃａ属植物の花粉を交配することによって得られる、当該細胞質を細胞質遺伝により引き継ぐ次世代及び次世代以降の細胞質雑種Ｌａｃｔｕｃａ属植物を意味する。本発明において「細胞質雑種Ｌａｃｔｕｃａ属植物またはその後代の植物体の一部」とは、当該植物体の１個以上の細胞または１個以上の細胞からの細胞質を含むものであり、具体的には花、葉、茎、根等の器官または組織、或いは、これらの器官または組織からの細胞（細胞から調製されたプロトプラストを含む）もしくは細胞質、或いは前記細胞もしくは細胞質の集合体を意味する。
（７）細胞質雄性不稔植物の利用とＦ１種子の生産
本発明の方法で作出した細胞質雄性不稔性の細胞質雑種Ｌａｃｔｕｃａ属植物に、優良なＬａｃｔｕｃａ属植物の系統を連続戻し交雑することにより、後代として、細胞質雄性不稔性を有する優良系統を得ることができる。こうして得られた細胞質雄性不稔性を有する優良系統はＦ１種子を得るための種子親として利用することができる。
また、より好ましい方法として、本発明により作出した細胞質雄性不稔性の細胞質雑種Ｌａｃｔｕｃａ属植物を細胞質提供素材として用いて、任意のレタスとの非対称細胞融合を行うことにより、短期間のうちに細胞質雄性不稔性を有する種子親を育成できる。このような非対称細胞融合を行なうことにより、例えばミトコンドリアゲノムに組み換えやゲノムの再編成が引き起こされ、細胞質雄性不稔性を保持し、レタスの核遺伝子との親和性がより高い細胞質を有する系統を選抜できる。
さらに、本発明により作出した細胞質雄性不稔性の細胞質雑種Ｌａｃｔｕｃａ属植物の細胞質は、Ｌａｃｔｕｃａ属のほかの種にも導入することが可能である。Ｌａｃｔｕｃａ属植物には、約１００種の野生種が知られており、レタス栽培品種Ｌ．ｓａｔｉｖａは、Ｌａｃｔｕｃａ小節の９つ野生種であるＬ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、と交雑可能である（特許文献１７）。
交雑が可能であれば、従来育種技術の連続戻し交雑法により、細胞質と核を入れ換えて、新たな細胞質と核の組み合わせを作り出すこと（核置換）が容易に行える。すなわち、これら野生種または、これらの種間雑種は、本発明により作出した細胞質雄性不稔性の細胞質雑種Ｌａｃｔｕｃａ属植物との交雑により細胞質雄性不稔性を発現する細胞質を容易に導入することができる。また、胚・胚珠培養により適用範囲を広げることも可能である。さらに、Ｌａｃｔｕｃａ属においては、野生種の有用形質を導入する目的で、細胞融合により野生種との体細胞雑種が多数育成されている（例えば、特許文献１７、Ｐｌａｎｔ  ｃｅｌｌ  ｒｅｐｏｒｔｓ  ９：５３１−５３４（１９９１）、非特許文献１８）。そのような野生種としては、例えばＬ．ｔａｔａｒｉｃａ，Ｌ．ｖｉｒｏｓａ，Ｌ．ｉｎｄｉｃａ，Ｌ．ｄｅｂｉｌｉｓなどが挙げられ、これらの細胞融合技術を用いることにより、本発明により作出した細胞質雄性不稔性の細胞質雑種Ｌａｃｔｕｃａ属植物の細胞質を多くのＬａｃｔｕｃａ属野生種やそれらの種間雑種に導入することが可能である。このとき、本発明により作出した細胞質雄性不稔性の細胞質雑種Ｌａｃｔｕｃａ属植物に放射線等を照射して核を不活化させ、細胞質提供細胞として非対称細胞融合を行うことにより、細胞質の導入をより効率的に行うことができる。従って、これら連続戻し交雑法や細胞融合などの従来技術を利用することによって、本発明により作出した細胞質雄性不稔性の細胞質雑種Ｌａｃｔｕｃａ属植物の細胞質を、多くのＬａｃｔｕｃａ属植物に導入することが可能である。野生種の有用遺伝子を導入したレタスの種間雑種植物などにも細胞質雄性不稔性を導入することが可能となり有用である。
以上のことから、本発明により作出した細胞質雄性不稔性の細胞質雑種Ｌａｃｔｕｃａ属植物または該植物から上記の手順で育成または作出された後代を種子親とし、該植物と交配可能なＬａｃｔｕｃａ属植物を花粉親として交配し、交配後の種子親から雑種第一代種子を採種することにより、Ｌａｃｔｕｃａ属植物の効率的なＦ１種子の生産が可能となる。交配方法は、花粉親系統の花粉が、種子親の雌蕊に受粉されればよく特に限定されないが、例えば風媒、虫媒（例えば特許文献２０）による受粉や、人手によって花粉親系統の花粉を種子親の雌蕊に付着させる人工交配などの通常の方法が適用できる。採種を行う地域、施設に適合した経済的な手法を選択することが好ましい。
上記の手順でレタスをＦ１品種化することにより、優良形質を付与したレタス品種の迅速な育種が可能となり、生産物の均一性や環境適応性などに優れた市場性の高いレタス品種の作出が可能となる。
以下の実施例によって本発明を具体的に説明するが、本発明はこれらの実施例に限定されるものではない。
【実施例１】
【０００６】
（１）プロトプラストの調製
（ｉ）レタスプロトプラストの単離
本実施例では、レタス品種‘テルミー’（サカタのタネ）を供試した例を示した。滅菌した種子をショ糖１０ｇ／ｌ、寒天８ｇ／ｌを添加したＭＳ培地に置床し、２０℃、１６時間照明下で１か月間培養した。展開した本葉を約１ｇ採取し、約２ｍｍの大きさに細切した後に、０．４％メイセラーゼ，０．０８％マセロザイムＲ−１０，マンニトールを含むＣＰＷ塩溶液１０ｍｌに浸漬し、２５℃、１６時間静置した。
プロトプラストの懸濁液を９２μｍのナイロンメッシュで濾過した。プロトプラスト懸濁液を５００ｒｐｍで３分間遠心分離した後、上澄みを除去して１５ｍＭのヨードアセトアミドを含むＳ液２ｍｌを加えて懸濁し、２５℃で５分間静置した。ヨードアセトアミド処理したプロトプラストを３００ｒｐｍで３分間遠心分離した後、上澄みを除去してＳ液１０ｍｌに懸濁し洗浄した。Ｓ液による洗浄は、３回繰り返した。３００ｒｐｍで３分間遠心分離して上澄みを除去し、２０％のショ糖を含んだＣＰＷ塩溶液を加えて、９．５ｍｌにして懸濁し、その上にＳ液０．５ｍｌを重ね、１０００ｒｐｍ、５分間遠心分離した。
精製されたプロトプラストが、上層のＳ液層中に浮上するのでパスツールピペットで吸い取り遠心管に入れて、２ｍｌのＳ液を加えてプロトプラストを懸濁した。懸濁液を少量取り血球計算板を用いてプロトプラストの細胞密度を求め、Ｓ液を加えて１×１０６個／ｍｌに調製した。
（ｉｉ）ヒマワリのプロトプラストの単離
本実施例では、切花ヒマワリの栽培品種‘のぞみ’（サカタのタネ）（ヒマワリ特異的なｏｒｆ５２２，ｏｒｆ８７３遺伝子を有する）と切花ヒマワリ育種系統‘ＩＢ５’（ヒマワリ特異的なｏｒｆ８７３遺伝子を有するがｏｒｆ５２２は有しない）を供試した例を示した。滅菌した種子をショ糖１０ｇ／ｌ、寒天８ｇ／ｌを添加したＭＳ培地に置床し、２５℃暗所において７日間培養した。５０ｍｍ前後に伸張した胚軸を長さ１ｃｍに切断し、さらに胚軸の伸長方向に２分割した。切断した胚軸約１０本分を０．５％セルラーゼオノズカＲ−１０、０．１％マセロザイムＲ−１０を含むＳ液１０ｍｌに浸漬し、１６時間静置した。
プロトプラストの懸濁液を９２μｍのナイロンメッシュで濾過した。遠心管に１７％のショ糖を含んだＣＰＷ塩溶液２ｍｌを入れ、その上にプロトプラスト懸濁液を重ね、１２００ｒｐｍで５分間遠心分離した。精製されたプロトプラストがバンド状に集まるので、プロトプラストを吸わないように上層の液を除去し、１７％のショ糖を含んだＣＰＷ塩溶液を加えて、９．５ｍｌにしてプロトプラストを懸濁した。その上にＳ液０．５ｍｌを重ね、１２００ｒｐｍで５分間遠心分離した。
プロトプラストが浮上し、上層のＳ液層中へ移動するので、パスツールピペットで吸い取り、プラスチックシャーレに移して軟Ｘ線を０．５Ｇｙ照射した。軟Ｘ線を照射したプロトプラスト懸濁液を遠心管に移し、１７％のショ糖を含んだＣＰＷ塩溶液を加えて、９．５ｍｌにした。その上にＳ液０．５ｍｌを重ねて１２００ｒｐｍで５分間遠心分離した。Ｓ液層中に移ったプロトプラストを遠心管に移し、Ｓ液を加えて１０ｍｌにして懸濁した。懸濁液を少量取り血球計算板を用いてプロトプラストの細胞密度を求め、Ｓ液を加えて３×１０６個／ｍｌに調製した。
（２）プロトプラストの融合処理
ヨードアセトアミド処理したレタスプロトプラスト懸濁液と軟Ｘ線照射したヒマワリプロトプラスト懸濁液を等量混合し、９ｃｍシャーレの底面中央に混合液を２ｍｌ滴下した。３０分間静置後、ＰＥＧ溶液（ＰＥＧ３３５０  ３００ｇ／ｌ，ＣａＣｌ２・２Ｈ２Ｏ  １，５００ｍｇ／ｌ，ＫＨ２ＰＯ４  １００ｍｇ／ｌ、ｐＨ５．５）３ｍｌをプロトプラスト混合液の周辺に滴下した。
１分後ＣＰＷ塩溶液３．ｍｌをプロトプラスト混合液の周辺に滴下した。さらに２分後ＣＰＷ塩溶液３．５ｍｌをプロトプラスト混合液の周辺に滴下した。５分後シャーレの縁から、滴下した液を静かに吸い上げて除去し、ＣＰＷ塩溶液２０ｍｌをシャーレの縁から加えた。このＣＰＷ塩溶液での洗浄の操作を５分間隔で３回繰り返した。
（３）融合雑種細胞の培養
洗浄液を除去後、コハク酸二ナトリウム六水和物２．７ｇ／ｌ，カザミノ酸１．０ｇ／ｌ，ＮＡＡ  １．０ｍｇ／ｌ，ＢＡ  ０．３ｍｇ／ｌ，０．３Ｍショ糖を含み、ＮＨ４ＮＯ３を２００ｍｇ／ｌに低減させた１／２濃度のＭＳ培地（以下、レタスプロトプラスト培養用培地という）１０ｍｌ（ｐＨ５．８）を添加し、２５℃暗所において培養した。
培養開始から３日後、４倍濃度のレタスプロトプラスト培養用培地（０．３Ｍショ糖濃度）５ｍｌと０．６％ゲランガムを含む０．３Ｍショ糖溶液５ｍｌ（ｐＨ５．８）を混合することにより、半固体化状態のゲル培地中で培養を継続した。
培養開始１０日後に、ショ糖濃度を０．１５Ｍに改変したレタスプロトプラスト培養用培地１０ｍｌ中に、融合雑種細胞の含まれた培地１０ｍｌをゲルとともに移した。培養開始２０日後には、マイクロカルスが肉眼で確認できるようになるので、１．０％ショ糖、０．３％ゲランガムを含んだレタスプロトプラスト培養用培地（固体培地，ｐＨ５．８）に移植した。
（４）マイクロカルスからの植物体の再生
培養開始３０日後、マイクロカルスが２ｍｍ程度の大きさになったときに、ＮＡＡ０．１ｍｇ／ｌ，ＢＡ  ０．３ｍｇ／ｌ，１．０％ショ糖，０．８％寒天を含むＭＳ培地（ｐＨ５．８）に移植した。
培養開始４０〜６０日後、カルスから再分化したシュートを、１．０％ショ糖，０．８％寒天を含む１／２ＭＳ培地（ｐＨ５．８）へ移植することにより発根し、細胞質雑種植物を再生した。
細胞質雑種植物は、バーミキュライトに移植して順化を行い、温室内で栽培を行った。
（５）ヒマワリに特異的なミトコンドリア遺伝子を有する細胞質雑種植物の選抜
細胞質雑種植物の葉より公知の方法（Ｊｈｉｎｇａｎ，Ａ．Ｋ．（１９９２），Ｍｅｔｈｏｄｓ  ｉｎ  ｍｏｌｅｃｕｌａｒ  ａｎｄ  ｃｅｌｌｕｌａｒｂｉｏｌｏｇｙ  ３：１５−２２）に従って全ＤＮＡを抽出した。
ＰＣＲ法によりヒマワリ特異的なＤＮＡを検出するため、公知の塩基配列情報（Ｇｅｎｅ  Ｂａｎｋ登録番号  Ｚ２３２３７，Ｘ６２５９２）よりｏｒｆ５２２，ｏｒｆ８７３遺伝子に特異的なプライマーを設計した（表３）。抽出した全ゲノムＤＮＡを鋳型とし、プライマーｏｒｆ５２２−Ｆとｏｒｆ５２２−Ｒ，プライマーｏｒｆ８７３−Ｆとｏｒｆ８７３−Ｒの各組み合わせを用いてＰＣＲを行った。ＰＣＲは、熱変性９４℃１分、アニーリング６０℃２分、伸長反応７２℃２分を３５サイクル繰り返した。ＰＣＲ産物は、１．８％アガロースゲルで電気泳動し、エチジウムブロマイド溶液に浸漬後、ＵＶ照射下で写真撮影を行い予想されるサイズ（２０９ｂｐ，７９８ｂｐ）のバンドの有無を確認した。
【表３】
2007049730.tif 000004
目的ＤＮＡ断片の特異的な増幅を確認するため、細胞質雄性不稔ヒマワリ２系統と雄性可稔ヒマワリ１系統（育種系統‘０Ｓ０６’）、表４に示したレタスの栽培品種１３品種からＤＮＡを抽出し、ヒマワリミトコンドリア遺伝子ｏｒｆ５２２及びｏｒｆ８７３に特異的なプライマーを用いてＰＣＲを行った結果を図１に示した。図１は、供試材料に用いた細胞質雄性不稔ヒマワリ２系統（レーン１，２）と雄性可稔ヒマワリ１系統（レーン３）、レタスの栽培品種１３品種（レーン４〜１６）からＤＮＡを抽出し、ヒマワリミトコンドリア遺伝子ｏｒｆ５２２に特異的なプライマー（上図）及びｏｒｆ８７３に特異的なプライマー（下図）を用いてＰＣＲを行った結果を示す電気泳動写真である（図１中の符号の説明：Ｍ：分子量マーカー、１：のぞみ、２：ＩＢ５、３：０Ｓ０６、４：テルミー、５：ステディー、６：ロジック、７：マイヤー、８：Ｖレタス、９：サンタナス、１０：シリウス、１１：アスレ、１２：ブルータス７号、１３：スパーク、１４：サントス２号、１５：デジェロ、１６：サウザー）。図１から明らかなように、ヒマワリ栽培品種’のぞみ’の場合には、ｏｒｆ５２２（２０９ｂｐ）とｏｒｆ８７３（７９８ｂｐ）のバンドが検出され、ヒマワリ育種系統’ＩＢ５’ではｏｒｆ８７３（７９８ｂｐ）のバンドが検出された。一方、供試したレタス１３品種全てにおいて、いずれのバンドも検出されなかった。この結果から、ｏｒｆ５２２に特異的なプライマーとｏｒｆ８７３に特異的なプライマーを用いて、レタスＤＮＡを鋳型にＰＣＲを行った場合、特異的なＤＮＡが増幅されないことを確認した。この結果から、非対称細胞融合により得られた植物体のＤＮＡを抽出し、ＰＣＲを行うことにより、ヒマワリに特異的なミトコンドリア遺伝子を有している細胞質雑種植物を選抜することが可能となった。
図２には、本実施例で得られた細胞質雑種植物を検定した結果の一例を示した。図２はヒマワリミトコンドリア遺伝子ｏｒｆ５２２及びｏｒｆ８７３に特異的なプライマーを用いて、細胞質雑種植物の検定を行った結果の一例を示す電気泳動写真である（図２中の符号の説明：Ｍ：分子量マーカー、１：のぞみ、２〜７：細胞質提供材料として‘のぞみ’を供試して作出した細胞質雑種植物、８：ＩＢ５、９〜１４：細胞質提供材料として‘ＩＢ５’を供試して作出した細胞質雑種植物）。ヒマワリとして‘のぞみ’と‘ＩＢ５’の２種類の細胞質を供試したが、どちらのヒマワリ品種からも細胞質雑種植物を作出することが可能であった。
図２のレーン３、５において、ｏｒｆ５２２が導入されているにもかかわらず、ｏｒｆ８７３のバンドが欠失している個体が検出され、これらはミトコンドリアの組換えが生じた結果であると考えられた。
【表４】
2007049730.tif 000005
2007049730.tif 000006
次に、ＰＣＲ−ＲＦＬＰ法により葉緑体の由来を特定するため、公知の塩基配列情報（Ｇｅｎｅ  Ｂａｎｋ登録番号Ｌ１３９２９）よりヒマワリ葉緑体のｒｂｃＬ遺伝子に特異的なプライマーを設計した（表３）。抽出した全ゲノムＤＮＡを鋳型とし、プライマーｒｂｃＬ−Ｆ，プライマーｒｂｃＬ−Ｒの組み合わせを用いてＰＣＲを行った。ＰＣＲは、熱変性９４℃  １分、アニーリング６０℃  ２分、伸長反応７２℃  ２分を３５サイクル繰り返した。ＰＣＲ産物を制限酵素ＴａｑＩで消化し、１．８％アガロースゲルで電気泳動後、エチジウムブロマイド溶液に浸漬し、ＵＶ照射下で写真撮影を行って、バンドの切断状況を確認した。ｒｂｃＬ遺伝子は、ヒマワリとレタスで相同性が高く、同じサイズのバンドが増幅されるため、ＰＣＲ産物を制限酵素ＴａｑＩで消化し、制限酵素サイトの違いによるＲＦＬＰを検出して由来を特定することが可能となった。図３は、供試材料に用いた細胞質雄性不稔ヒマワリ２系統（レーン１，２）と雄性可稔ヒマワリ１系統（レーン３）、レタスの栽培品種１３品種（レーン４〜１６）からＤＮＡを抽出し、葉緑体遺伝子ｒｂｃＬに特異的なプライマーを用いてＰＣＲを行い、その増幅産物をＴａｑＩで切断したときのＰＣＲ−ＲＦＬＰパターンを示す電気泳動写真である（図３中の符号の説明：Ｍ：分子量マーカー、１：のぞみ、２：ＩＢ５、３：０Ｓ０６、４：テルミー、５：ステディー、６：ロジック、７：マイヤー、８：Ｖレタス、９：サンタナス、１０：シリウス、１１：アスレ、１２：ブルータス７号、１３：スパーク、１４：サントス２号、１５：デジェロ、１６：サウザー）。図３に示したように、レタスではＴａｑＩの制限酵素サイトが存在しないため、１０９６ｂｐのサイズのバンドが１本検出されるが、ヒマワリではＴａｑＩの制限酵素サイトが存在するため、３１１ｂｐと７８５ｂｐの２本のバンドが検出され、容易に由来を識別することが可能であった。この結果から、非対称細胞融合により得られた植物体のＤＮＡを抽出し、ＰＣＲ−ＲＦＬＰを行うことにより、レタス葉緑体を有する細胞質雑種植物を選抜することが可能となった。
（６）細胞質雄性不稔植物の選抜
細胞質雑種植物は、レタス由来の核遺伝子と導入されたヒマワリ由来のミトコンドリア遺伝子の不親和性によって、形態異常を示す個体が多く現れるため、そのような個体は排除した。ミトコンドリアは、細胞融合によって高頻度で組み換えやゲノムの再編成が起こるため、再生する個体毎に形態の変化が観察された。特に花器においては、不親和性により形態異常を引き起こしやすいため、多数の細胞質雑種植物を作出し、雄性不稔形質を有し、且つその他の形態が正常な優良系統を選抜した。一般的に、レタスは、雄蕊先熟で雌蕊が葯筒の中を伸長する過程で受粉するため、開花時には図４に示すように雌蕊に花粉が多量に付着する。このためレタスでは自殖率が非常に高い。本発明において選抜した最も有望と思われる細胞質雄性不稔系統（以下‘１２１６−２’と記す（ヒマワリ‘ＩＢ５’由来））は、図５に示すように雌蕊に花粉粒の付着が全く見られず、葯筒の中にも花粉粒の存在は全く認められなかった。また、花器やその他器官の形態に明確な差は認められなかった。また、染色体数を調査した結果、２ｎ＝１８であり通常のレタスと同じであった（図６）。
選抜した細胞質雄性不稔系統‘１２１６−２’に、正常細胞質のレタスの花粉を交配することによって、図７に示すように正常に結実し、種子が得られたことから、雌性稔性が維持されていることを確認した。
さらに、‘１２１６−２’に雄性可稔のレタスの花粉を交配して得た後代の植物がすべて雄性不稔性を示したことから、雄性不稔性が細胞質に起因し、細胞質遺伝していることを確認した。
‘１２１６−２’に‘テルミー’を２回戻し交雑したＢＣ３世代（１２１６−２−Ｔ１−１〜１４）１４個体を供試して、ヒマワリミトコンドリア遺伝子ｏｒｆ８７３を特異的に増幅するプライマーを用いてＰＣＲを行った場合の結果を図８に示した（図８中の符号の説明：Ｍ：分子量マーカー、Ｓ：ＩＢ５、Ｌ：テルミー、１〜１４：細胞質雄性不稔レタスＢＣ３  １４個体（１２１６−２−Ｔ１−１〜１４））。いずれの個体もｏｒｆ８７３を有しており、この結果からレタスにおいてヒマワリのミトコンドリア遺伝子が安定的に遺伝することが明らかとなった。
また、公知のヒマワリ、レタスのミトコンドリア遺伝子の塩基配列情報（Ｇｅｎｅ  Ｂａｎｋ登録番号Ｘ８２３８７，Ｘ６２３４１，Ｘ９８３６２，ＡＦ３１９１７０，Ｘ７３４２５，Ｘ８７２０９）に基づいて、表３に示すプライマーを設計し、その他のミトコンドリア遺伝子についてもＰＣＲ及びＰＣＲ−ＲＦＬＰ法を用いて分析を行った。ミトコンドリア遺伝子ｒｐｓ３、ｔｒｎＮとｔｒｎＹの遺伝子間領域（以下、ｔｒｎＮ−ｔｒｎＹと記す）、ｔｒｎＳとｔｒｎＰの遺伝子間領域（以下、ｔｒｎＳ−ｔｒｎＰと記す）は、ＰＣＲ増幅産物のサイズの違いから、ミトコンドリア遺伝子ａｔｐ６、ｃｏｘＩＩ、ｃｏｂはＰＣＲ−ＲＦＬＰ法により、すなわちＰＣＲ増幅産物を制限酵素で消化し、切断パターンの違いで遺伝子型を識別し分析を行った。さらに葉緑体遺伝子ｒｂｃＬについてもＰＣＲ−ＲＦＬＰ法での分析を行った。ＰＣＲ及びＰＣＲ−ＲＦＬＰ法による電気泳動写真を図９に示した（図９中の符号の説明：Ｍ：分子量マーカー、Ｓ：ＩＢ５、Ｌ：テルミー、１〜１４：細胞質雄性不稔レタスＢＣ３  １４個体（１２１６−２−Ｔ１−１〜１４））。また、結果のまとめを表５に示した。
【表５】
2007049730.tif 000007
この結果から、ａｔｐ６のミトコンドリア遺伝子がヒマワリ型を示したが、その他の分析したミトコンドリア遺伝子がいずれもレタス型を示すことが明らかとなった。図１０は、細胞質雄性不稔レタスのＢＣ３世代１４個体の葉からＤＮＡを抽出し、葉緑体遺伝子ｒｂｃＬに特異的なプライマーを用いてＰＣＲを行い、そのＰＣＲ増幅産物をさらに制限酵素で消化したＰＣＲ−ＲＦＬＰの結果を示す電気泳動写真である（図１０中の符号の説明：Ｍ：分子量マーカー、Ｓ：ＩＢ５、Ｌ：テルミー、１〜１４：細胞質雄性不稔レタスＢＣ３  １４個体（１２１６−２−Ｔ１−１〜１４））。図１０に示したＰＣＲ−ＲＦＬＰの結果から、葉緑体遺伝子ｒｂｃＬもすべてレタス型を示した。すなわち、本発明において作出した細胞質雄性不稔レタスにヒマワリのミトコンドリア遺伝子の一部のみが組み込まれ、葉緑体はレタスに由来することが明らかとなった。また、供試した後代１４個体において、いずれも同じバンドパターンを示したことから、ミトコンドリアゲノムが安定していると考えられた。ただし、図９、図１０及び表５の結果は細胞質雄性不稔性を発現する個体の分析結果の一例を示したものであり、細胞質雄性不稔レタスが必ずしもこのようなバンドパターンのみを示すとは限らない。
以上の結果より、非対称細胞融合によって、ヒマワリの一部のミトコンドリアＤＮＡを導入することにより、細胞質雄性不稔レタスを作出できることが明らかとなった。これまでの細胞質の分析の結果から、雄性不稔性の原因となるミトコンドリア遺伝子の組み込みや、雄性不稔性を誘発するミトコンドリア遺伝子の組換え、ミトコンドリアゲノムの再編成などが引き起こされることによって、雄性不稔性が引き起こされたと考えられた。
すなわち、本発明により育成された細胞質雑種レタスは、ミトコンドリアゲノムの改変による細胞質雄性不稔形質を有し、尚且つレタスの核ゲノムとの親和性の高いミトコンドリアゲノムを有するという、ミトコンドリアゲノムが高度に組み換えられた細胞質雄性不稔レタスであることが明らかとなった。
（７）細胞質雄性不稔植物の利用とＦ１種子の生産
作出した細胞質雄性不稔レタス、例えば‘１２１６−２’に‘テルミー’を交配して得た後代の‘１２１６−２−Ｔ１’に、花粉親として市販のレタス固定種５品種‘テルミー’（サカタのタネ）、‘ステディー’（ツルタ種苗株式会社）、‘ロジック’（横浜植木株式会社）、‘マイヤー’（住化農業資材株式会社）、‘Ｖレタス’（カネコ種苗株式会社）を交配し、Ｆ１種子を採種した。
Ｆ１種子をプラグトレーに播種して育苗した後、温室内で１０号鉢に定植し、通常の栽培を行い特性の調査を行った。１系統・品種あたり３株を供試した。いずれの系統・品種も正常に生育した。各系統・品種の雄性不稔の調査は、１株当たり１０花を供試し、実体顕微鏡を用いて詳細な観察を行った。また、花弁の色、花器の形態についても開花中に順次観察し、開花後の自殖種子の有無も調査した。その調査結果を表６に示した。‘１２１６−２−Ｔ１’と上記固定種５品種とのＦ１系統は、全個体において１００％の雄性不稔性を示した。また、図１１〜１４に示したように、‘テルミー’以外のレタス栽培品種を交配した場合にも、自殖による雌蕊への花粉粒の付着は全く観察されず、葯の中にも花粉粒の存在は認められなかった。さらに、図１５に示したようにレタス野生種Ｌ．ｓｅｒｒｉｏｌａの花粉を交配した交雑後代においても自殖による雌蕊への花粉粒の付着は全く観察されず、同様に葯の中にも花粉粒の存在は認められなかった。
この結果から、核遺伝子が‘テルミー’以外の遺伝子型に変化しても花粉が生成されず、雄性不稔性が維持されていたことから、細胞質に起因して雄性不稔性が発現することが裏付けられた。よって本発明により作出した細胞質雑種植物は、安定的な細胞質雄性不稔性を示すことが明らかとなった。
また、雌性稔性を調査するため、花粉を生成しない細胞質雄性不稔系統については、Ｆ１を採種したときと同じ品種の花粉を交配した。１株あたり１０花を調査し、１花あたり１０粒以上の種子を形成する能力を有する系統・品種を雌性稔性’有’とした。表６に示したように、細胞質雄性不稔系統は、遺伝子型の違いに関わらず、いずれも雌性稔性を有していたことから、本発明により作出した細胞質雄性不稔レタスは、効率的なＦ１種子の生産に利用可能であることを確認した。
【表６】
2007049730.tif 000008
‘１２１６−２’に‘テルミー’を交配して得た後代の‘１２１６−２−Ｔ１’の種子は２００５年９月２９日付けで独立行政法人産業技術総合研究所特許生物寄託センター（茨城県つくば市東１丁目１番地１中央第６）に国際寄託されている（寄託者が付した識別のための表示ＳＳＣ−ＬＥＴ−０５−００１、受託番号ＦＥＲＭ  ＢＰ−１０４２１）。
【実施例２】
【０００７】
‘１２１６−２−Ｔ１’を細胞質提供素材として用いて、‘Ｖレタス’（カネコ種苗株式会社）との非対称細胞融合を行い、細胞質雄性不稔性の細胞質雑種‘５０１２５−３’を作出した。‘５０１２５−３’の花は、雌蕊に花粉粒の付着が全く見られず、葯の中にも花粉粒の存在は全く認められなかった。また、‘Ｖレタス’と比較して、花器などの形態に明確な差は認められなかった。選抜した細胞質雄性不稔系統‘５０１２５−３’に、正常細胞質のレタスの花粉を交配することによって、正常に結実し、種子が得られたことから、雌性稔性が維持されていることを確認した。さらに、‘５０１２５−３’に雄性可稔のレタスの花粉を交配して得た後代の植物がすべて雄性不稔性を示したことから、雄性不稔性が細胞質に起因し、細胞質遺伝していることを確認した。
‘５０１２５−３’に‘Ｖレタス’を交配して得た後代の‘５０１２５−３−Ｖ１−１〜１０’１０個体における、ＰＣＲ及びＰＣＲ−ＲＦＬＰ法による、ミトコンドリア遺伝子の分析結果を表７に示した。細胞質提供素材として用いた‘１２１６−２−Ｔ１’に比較して、例えば‘５０１２５−３−Ｖ１−１〜１０’は、ヒマワリ型とレタス型の両方のａｔｐ６遺伝子を保持している点に違いがみられた。
ただし、表７の結果は細胞質雄性不稔性を発現する個体の分析結果の一例を示したものであり、細胞質雄性不稔レタスが必ずしもこのようなバンドパターンのみを示すとは限らない。
‘５０１２５−３’に‘Ｖレタス’を交配して得た後代の‘５０１２５−３−Ｖ１’の種子は２００６年７月３１日付けで独立行政法人産業技術総合研究所特許生物寄託センター（茨城県つくば市東１丁目１番地１中央第６）に国際寄託されている（寄託者が付した識別のための表示ＳＳＣ−ＬＥＴ−０６−００１、受託番号ＦＥＲＭ  ＢＰ−１０６４７）。
【表７】
2007049730.tif 000009
2007049730.tif 000010
【産業上の利用可能性】
【０００８】
本発明によりヒマワリ由来の細胞質を有する細胞質雑種レタスが提供される。
本発明による細胞質雑種レタスが細胞質雄性不稔レタスである場合、本レタスを種子親として用いることにより、核遺伝子型雄性不稔植物を商業的なＦ１種子の生産に用いた場合と異なり、効率的で純度の高いＦ１種子の採種が可能となる。
本明細書で引用した全ての刊行物、特許および特許出願をそのまま参考として本明細書にとり入れるものとする。
［配列表］
2007049730.tif 000011
2007049730.tif 000012
2007049730.tif 000013
2007049730.tif 000014
2007049730.tif 000015
2007049730.tif 000016
2007049730.tif 000017
2007049730.tif 000018
【図１】
2007049730.tif 000019
【図２】
2007049730.tif 000020
【図３】
2007049730.tif 000021
【図４】
2007049730.tif 000022
【図５】
2007049730.tif 000023
【図６】
2007049730.tif 000024
【図７】
2007049730.tif 000025
【図８】
2007049730.tif 000026
【図９Ａ】
2007049730.tif 000027
【図９Ｂ】
2007049730.tif 000028
【図１０】
2007049730.tif 000029
【図１１】
2007049730.tif 000030
【図１２】
2007049730.tif 000031
【図１３】
2007049730.tif 000032
【図１４】
2007049730.tif 000033
【図１５】
2007049730.tif 000034
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）
【請求項２６】
（削除）
【請求項２７】
（削除）
【請求項２８】
（削除）
【請求項２９】
（削除）
【請求項３０】
（削除）
【請求項３１】
（削除）
【請求項３２】
（削除）
【請求項３３】
（削除）
【請求項３４】
（削除）
【請求項３５】
（削除）
【請求項３６】
（削除）
【請求項３７】
（削除）
【請求項３８】
（削除）
【請求項３９】
（削除）
【請求項４０】
（削除）
【請求項４１】
（削除）
【請求項４２】
（削除）
【請求項４３】
（削除）
【請求項４４】
（削除）
【請求項４５】
（削除）
【請求項４６】
（削除）
【請求項４７】
（削除）
【請求項４８】
（削除）
【請求項４９】
（削除）
【請求項５０】
（削除）
【請求項５１】
（削除）
【請求項５２】
（削除）
【請求項５３】
（削除）
【請求項５４】
Ｈｅｌｉａｎｔｈｕｓ属植物のミトコンドリアに由来するＤＮＡを細胞質内に有し、細胞質雄性不稔性を有する細胞質雑種Ｌａｃｔｕｃａ属植物、その後代、またはそれらの植物体の一部。
【請求項５５】
Ｈｅｌｉａｎｔｈｕｓ属植物がＨ．ａｎｎｕｕｓ  Ｌ．であるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統である請求項５４記載の細胞質雑種Ｌａｃｔｕｃａ属植物、その後代、またはそれらの植物体の一部。
【請求項５６】
細胞質雑種Ｌａｃｔｕｃａ属植物がＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するものである請求項５４または５５記載の細胞質雑種Ｌａｃｔｕｃａ属植物、その後代、またはそれらの植物体の一部。
【請求項５７】
Ｈｅｌｉａｎｔｈｕｓ属植物のミトコンドリアに由来するＤＮＡが雄性不稔性を発現させるＤＮＡである請求項５４〜５６のいずれか１項記載の細胞質雑種Ｌａｃｔｕｃａ属植物、その後代、またはそれらの植物体の一部。
【請求項５８】
Ｈｅｌｉａｎｔｈｕｓ属植物由来のプロトプラストとＬａｃｔｕｃａ属植物由来のプロトプラストを細胞融合し、次いで融合細胞を培養し、培養された融合細胞からＬａｃｔｕｃａ属植物の植物体を再生することを特徴とする方法により作出されたものである、請求項５４〜５７のいずれか１項記載の細胞質雑種Ｌａｃｔｕｃａ属植物、その後代、またはそれらの植物体の一部。
【請求項５９】
細胞質雑種Ｌａｃｔｕｃａ属植物またはその後代の植物体の一部が、該植物体の細胞または細胞質を含むものである、請求項５４〜５８のいずれか１項記載の細胞質雑種Ｌａｃｔｕｃａ属植物またはその後代の植物体の一部。
【請求項６０】
請求項５４〜５８のいずれか１項記載の細胞質雑種Ｌａｃｔｕｃａ属植物の細胞を含むカルス。
【請求項６１】
受託番号ＦＥＲＭ  ＢＰ−１０４２１である細胞質雑種Ｌａｃｔｕｃａ属植物の種子、該種子から生育させた細胞質雑種Ｌａｃｔｕｃａ属植物、その後代、またはそれらの植物体の一部。
【請求項６２】
細胞質雑種Ｌａｃｔｕｃａ属植物またはその後代の植物体の一部が、該植物体の細胞または細胞質を含むものである、請求項６１項記載の細胞質雑種Ｌａｃｔｕｃａ属植物またはその後代の植物体の一部。
【請求項６３】
受託番号ＦＥＲＭ  ＢＰ−１０６４７である細胞質雑種Ｌａｃｔｕｃａ属植物の種子、該種子から生育させた細胞質雑種Ｌａｃｔｕｃａ属植物、その後代、またはそれらの植物体の一部。
【請求項６４】
細胞質雑種Ｌａｃｔｕｃａ属植物またはその後代の植物体の一部が、該植物体の細胞または細胞質を含むものである、請求項６３項記載の細胞質雑種Ｌａｃｔｕｃａ属植物またはその後代の植物体の一部。
【請求項６５】
Ｈｅｌｉａｎｔｈｕｓ属植物由来のプロトプラストとＬａｃｔｕｃａ属植物由来のプロトプラストを細胞融合し、次いで融合細胞を培養し、培養された融合細胞からＬａｃｔｕｃａ属植物の植物体を再生すること、ならびに、前記細胞融合の工程が、Ｈｅｌｉａｎｔｈｕｓ属植物由来のプロトプラストとＬａｃｔｕｃａ属植物由来のプロトプラストとを３：１の比で混合することを含むことを特徴とする、Ｈｅｌｉａｎｔｈｕｓ属植物のミトコンドリアに由来するＤＮＡを細胞質内に有し、細胞質雄性不稔性を有する細胞質雑種Ｌａｃｔｕｃａ属植物の作出方法。
【請求項６６】
Ｈｅｌｉａｎｔｈｕｓ属植物由来のプロトプラストがＨ．ａｎｎｕｕｓ  Ｌ．に由来するプロトプラストであるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統に由来するプロトプラストである請求項６５記載の方法。
【請求項６７】
Ｌａｃｔｕｃａ属植物由来のプロトプラストがＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するプロトプラストである請求項６５または６６記載の方法。
【請求項６８】
Ｈｅｌｉａｎｔｈｕｓ属植物が細胞質雄性不稔性を有する、請求項６５〜６７のいずれか１項記載の方法。
【請求項６９】
Ｈｅｌｉａｎｔｈｕｓ属植物が雄性不稔性を発現させるＤＮＡをミトコンドリアに有し、該ＤＮＡが前記の細胞質雑種Ｌａｃｔｕｃａ属植物の細胞質内に含まれる、請求項６８記載の方法。
【請求項７０】
再生されたＬａｃｔｕｃａ属植物体のうちＨｅｌｉａｎｔｈｕｓ属植物のミトコンドリアＤＮＡが導入された個体をＰＣＲ法又はＰＣＲ−ＲＦＬＰ法を用いて選抜することを更に含む、請求項６５〜６９のいずれか１項記載の方法。
【請求項７１】
再生されたＬａｃｔｕｃａ属植物体のうちＬａｃｔｕｃａ属植物の葉緑体ＤＮＡを有する個体をＰＣＲ−ＲＦＬＰ法を用いて選抜することを更に含む、請求項６５〜７０のいずれか１項記載の方法。
【請求項７２】
Ｈｅｌｉａｎｔｈｕｓ属植物由来のプロトプラストとＬａｃｔｕｃａ属植物由来のプロトプラストを細胞融合し、次いで融合細胞を培養し、培養された融合細胞からＬａｃｔｕｃａ属植物の植物体を再生すること、ならびに、前記融合細胞を培養する工程が、融合細胞を液体培地中で初期培養し、次いで該液体培地にゲランガムを添加して半固体化状態の培地として培養を継続することを含むことを特徴とする、Ｈｅｌｉａｎｔｈｕｓ属植物のミトコンドリアに由来するＤＮＡを細胞質内に有し、細胞質雄性不稔性を有する細胞質雑種Ｌａｃｔｕｃａ属植物の作出方法。
【請求項７３】
初期培養を開始して３〜７日後に液体培地にゲランガムを添加する、請求項７２記載の方法。
【請求項７４】
細胞融合の工程が、Ｈｅｌｉａｎｔｈｕｓ属植物由来のプロトプラストとＬａｃｔｕｃａ属植物由来のプロトプラストとを３：１の比で混合することを含む、請求項７２または７３記載の方法。
【請求項７５】
Ｈｅｌｉａｎｔｈｕｓ属植物由来のプロトプラストがＨ．ａｎｎｕｕｓ  Ｌ．に由来するプロトプラストであるか、またはＨ．ｐｅｔｉｏｌａｒｉｓ、Ｈ．ａｒｇｏｐｈｙｌｌｕｓ、Ｈ．ｄｅｂｉｌｉｓ、Ｈ．ｄｅｃａｐｅｔａｌｕｓ、Ｈ．ｇｉｇａｎｔｅｕｓ、Ｈ．ｒｉｇｉｄｕｓ、Ｈ．ｓａｌｉｃｉｆｏｌｉｕｓ、Ｈ．ａｎｏｍａｌｕｓ、Ｈ．ｂｏｌａｎｄｅｒｉ、Ｈ．ｅｘｉｌｉｓ、Ｈ．ｍａｘｉｍｉｌｉａｎｉ、Ｈ．ｎｅｇｌｅｃｔｕｓ、Ｈ．ｐｒａｅｃｏｘ、もしくはＨ．ｔｕｂｅｒｏｓｕｓ由来の細胞質を有するＨ．ａｎｎｕｕｓ  Ｌ．の細胞質置換系統に由来するプロトプラストである請求項７２〜７４のいずれか１項記載の方法。
【請求項７６】
Ｌａｃｔｕｃａ属植物由来のプロトプラストがＬａｃｔｕｃａ  ｓａｔｉｖａ  Ｌ．、Ｌ．ｓｅｒｒｉｏｌａ、Ｌ．ａｃｕｌｅａｔｅ、Ｌ．ｓｃａｒｉｏｌｏｉｄｅｓ、Ｌ．ａｚｅｒｂａｉｊａｎｉｃａ、Ｌ．ｇｅｏｒｇｉｃａ、Ｌ．ｄｒｅｇｅａｎａ、Ｌ．ａｌｔａｉｃａ、Ｌ．ｓａｌｉｇｎａ、Ｌ．ｖｉｒｏｓａ、Ｌ．ｔａｔａｒｉｃａ、Ｌ．ｉｎｄｉｃａ、もしくはＬ．ｄｅｂｉｌｉｓ、またはそれらの種間交雑植物に由来するプロトプラストである請求項７２〜７５のいずれか１項記載の方法。
【請求項７７】
Ｈｅｌｉａｎｔｈｕｓ属植物が細胞質雄性不稔性を有する、請求項７２〜７６のいずれか１項記載の方法。
【請求項７８】
Ｈｅｌｉａｎｔｈｕｓ属植物が雄性不稔性を発現させるＤＮＡをミトコンドリアに有し、該ＤＮＡが前記の細胞質雑種Ｌａｃｔｕｃａ属植物の細胞質内に含まれる、請求項７７記載の方法。
【請求項７９】
再生されたＬａｃｔｕｃａ属植物体のうちＨｅｌｉａｎｔｈｕｓ属稙物のミトコンドリアＤＮＡが導入された個体をＰＣＲ法又はＰＣＲ−ＲＦＬＰ法を用いて選抜することを更に含む、請求項７２〜７８のいずれか１項記載の方法。
【請求項８０】
再生されたＬａｃｔｕｃａ属植物体のうちＬａｃｔｕｃａ属植物の葉緑体ＤＮＡを有する個体をＰＣＲ−ＲＦＬＰ法を用いて選抜することを更に含む、請求項７２〜７９のいずれか１項記載の方法。
【請求項８１】
請求項６５〜７１のいずれか１項記載の方法により作出された、Ｈｅｌｉａｎｔｈｕｓ属植物のミトコンドリアに由来するＤＮＡを細胞質内に有し、細胞質雄性不稔性を有する細胞質雑種Ｌａｃｔｕｃａ属植物、その後代、またはそれらの植物体の一部。
【請求項８２】
細胞質雑種Ｌａｃｔｕｃａ属植物またはその後代の植物体の一部が、該植物体の細胞または細胞質を含むものである、請求項８１記載の細胞質雑種Ｌａｃｔｕｃａ属植物またはその後代の植物体の一部。
【請求項８３】
請求項６５〜７１のいずれか１項記載の方法により作出された、Ｈｅｌｉａｎｔｈｕｓ属植物のミトコンドリアに由来するＤＮＡを細胞質内に有し、細胞質雄性不稔性を有する細胞質雑種Ｌａｃｔｕｃａ属植物、その後代、またはそれらの植物体の一部の細胞を含むカルス。
【請求項８４】
請求項７２〜８０のいずれか１項記載の方法により作出された、Ｈｅｌｉａｎｔｈｕｓ属植物のミトコンドリアに由来するＤＮＡを細胞質内に有し、細胞質雄性不稔性を有する細胞質雑種Ｌａｃｔｕｃａ属植物、その後代、またはそれらの植物体の一部。
【請求項８５】
細胞質雑種Ｌａｃｔｕｃａ属植物またはその後代の植物体の一部が、該植物体の細胞または細胞質を含むものである、請求項８４記載の細胞質雑種Ｌａｃｔｕｃａ属植物またはその後代の植物体の一部。
【請求項８６】
請求項７２〜８０のいずれか１項記載の方法により作出された、Ｈｅｌｉａｎｔｈｕｓ属植物のミトコンドリアに由来するＤＮＡを細胞質内に有し、紬胞質雄性不稔性を有する細胞質雑種Ｌａｃｔｕｃａ属植物、その後代、またはそれらの植物体の一部の細胞を含むカルス。
【請求項８７】
請求項５４記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項８８】
請求項６１記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項８９】
請求項６３記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項９０】
請求項８１記載の細胞質雑種Ｌａｃｔｕｃａ属植物またはその後代を種子親とし、該植物と交配可能なＬａｃｔｕｃａ植物を花粉親として交配し、交配後の種子親から雑種第一代種子を採種することを含む、雑種第一代種子の作出方法。
【請求項９１】
請求項８４記載の細胞質雑種Ｌａｃｔｕｃａ属植物またはその後代を種子親とし、該植物と交配可能なＬａｃｔｕｃａ属植物を花粉親として交配し、交配後の種子親から雑種第一代種子を採種することを含む、雑種第一代種子の作出方法。
【請求項９２】
請求項８７〜９１のいずれか１項記載の方法により作出された雑種第一代種子または該種子から生育させた雑種第一代植物、その後代、またはそれらの植物体の一部。
【請求項９３】
雑種第一代種子または該種子から生育させた雑種第一代植物またはその後代の植物体の一部が、該植物体の細胞または細胞質を含むものである、請求項９２記載の雑種第一代植物またはその後代の植物体の一部。
【請求項９４】
請求項８７〜９１のいずれか１項記載の方法により作出された、雑種第一代種子または該種子から生育させた雑種第一代植物、その後代、またはそれらの植物体の一部の細胞を含むカルス。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
Helianthus 属植物のミトコンドリアに由来するDNAを細胞質内に有し、細胞質雄性不稔性を有する細胞質雑種Lactuca 属植物、その後代、またはそれらの植物体の一部。
【請求項２】
Helianthus 属植物がH. annuus L.であるか、またはH. petiolaris、H. argophyllus、H. debilis、H. decapetalus 、H. giganteus 、H. rigidus、H. salicifolius、H. anomalus、H. bolanderi、H. exilis、H. maximiliani、H.neglectus、H. praecox、もしくはH. tuberosus由来の細胞質を有するH. annuus L.の細胞質置換系統である請求項1記載の細胞質雑種Lactuca 属植物、その後代、またはそれらの植物体の一部。
【請求項３】
細胞質雑種Lactuca 属植物がLactuca sativa L.、L. serriola、L. aculeate、L. scarioloides、L. azerbaijanica、L. georgica、L. dregeana、L. altaica、L. saligna、L. virosa、L. tatarica、L. indica、もしくはL. debilis、またはそれらの種間交雑植物に由来するものである請求項1または2記載の細胞質雑種Lactuca 属植物、その後代、またはそれらの植物体の一部。
【請求項４】
Helianthus 属植物のミトコンドリアに由来するDNAが雄性不稔性を発現させるDNAである請求項1〜3のいずれか1項記載の細胞質雑種Lactuca 属植物、その後代、またはそれらの植物体の一部。
【請求項５】
Helianthus 属植物由来のプロトプラストとLactuca 属植物由来のプロトプラストを細胞融合し、次いで融合細胞を培養し、培養された融合細胞からLactuca 属植物の植物体を再生することを特徴とする方法により作出されたものである、請求項1〜4のいずれか1項記載の細胞質雑種Lactuca 属植物、その後代、またはそれらの植物体の一部。
【請求項６】
細胞質雑種Lactuca 属植物またはその後代の植物体の一部が、該植物体の細胞または細胞質を含むものである、請求項1〜5のいずれか1項記載の細胞質雑種Lactuca 属植物またはその後代の植物体の一部。
【請求項７】
請求項1〜5のいずれか1項記載の細胞質雑種Lactuca 属植物の細胞を含むカルス。
【請求項８】
受託番号FERM BP-10421である細胞質雑種Lactuca 属植物の種子、該種子から生育させた細胞質雑種Lactuca 属植物、その後代、またはそれらの植物体の一部。
【請求項９】
細胞質雑種Lactuca 属植物またはその後代の植物体の一部が、該植物体の細胞または細胞質を含むものである、請求項8項記載の細胞質雑種Lactuca 属植物またはその後代の植物体の一部。
【請求項１０】
受託番号FERM BP-10647である細胞質雑種Lactuca 属植物の種子、該種子から生育させた細胞質雑種Lactuca 属植物、その後代、またはそれらの植物体の一部。
【請求項１１】
細胞質雑種Lactuca 属植物またはその後代の植物体の一部が、該植物体の細胞または細胞質を含むものである、請求項10項記載の細胞質雑種Lactuca 属植物またはその後代の植物体の一部。
【請求項１２】
Helianthus 属植物由来のプロトプラストとLactuca 属植物由来のプロトプラストを細胞融合し、次いで融合細胞を培養し、培養された融合細胞からLactuca 属植物の植物体を再生すること、ならびに、前記細胞融合の工程が、Helianthus 属植物由来のプロトプラストとLactuca 属植物由来のプロトプラストとを 3:1の比で混合することを含むことを特徴とする、Helianthus 属植物のミトコンドリアに由来するDNAを細胞質内に有し、細胞質雄性不稔性を有する細胞質雑種Lactuca 属植物の作出方法。
【請求項１３】
Helianthus 属植物由来のプロトプラストがH. annuus L.に由来するプロトプラストであるか、またはH. petiolaris、H. argophyllus、H. debilis、H. decapetalus 、H. giganteus 、H. rigidus、H. salicifolius、H. anomalus、H. bolanderi、H. exilis、H. maximiliani、H.neglectus、H. praecox、もしくはH. tuberosus由来の細胞質を有するH. annuus L.の細胞質置換系統に由来するプロトプラストである請求項12記載の方法。
【請求項１４】
Lactuca 属植物由来のプロトプラストがLactuca sativa L.、L. serriola、L. aculeate、L. scarioloides、L. azerbaijanica、L. georgica、L. dregeana、L. altaica、L. saligna、L. virosa、L. tatarica、L. indica、もしくはL. debilis、またはそれらの種間交雑植物に由来するプロトプラストである請求項12または13記載の方法。
【請求項１５】
Helianthus 属植物が細胞質雄性不稔性を有する、請求項12〜14のいずれか１項記載の方法。
【請求項１６】
Helianthus 属植物が雄性不稔性を発現させるDNAをミトコンドリアに有し、該DNAが前記の細胞質雑種Lactuca 属植物の細胞質内に含まれる、請求項15記載の方法。
【請求項１７】
再生されたLactuca 属植物体のうちHelianthus 属植物のミトコンドリアDNAが導入された個体をPCR法又はPCR-RFLP法を用いて選抜することを更に含む、請求項12〜16のいずれか1項記載の方法。
【請求項１８】
再生されたLactuca 属植物体のうちLactuca 属植物の葉緑体DNAを有する個体をPCR-RFLP法を用いて選抜することを更に含む、請求項12〜17のいずれか1項記載の方法。
【請求項１９】
Helianthus 属植物由来のプロトプラストとLactuca 属植物由来のプロトプラストを細胞融合し、次いで融合細胞を培養し、培養された融合細胞からLactuca 属植物の植物体を再生すること、ならびに、前記融合細胞を培養する工程が、融合細胞を液体培地中で初期培養し、次いで該液体培地にゲランガムを添加して半固体化状態の培地として培養を継続することを含むことを特徴とする、Helianthus 属植物のミトコンドリアに由来するDNAを細胞質内に有し、細胞質雄性不稔性を有する細胞質雑種Lactuca 属植物の作出方法。
【請求項２０】
初期培養を開始して3〜7日後に液体培地にゲランガムを添加する、請求項19記載の方法。
【請求項２１】
細胞融合の工程が、Helianthus 属植物由来のプロトプラストとLactuca 属植物由来のプロトプラストとを 3:1の比で混合することを含む、請求項19または20記載の方法。
【請求項２２】
Helianthus 属植物由来のプロトプラストがH. annuus L.に由来するプロトプラストであるか、またはH. petiolaris、H. argophyllus、H. debilis、H. decapetalus 、H. giganteus 、H. rigidus、H. salicifolius、H. anomalus、H. bolanderi、H. exilis、H. maximiliani、H.neglectus、H. praecox、もしくはH. tuberosus由来の細胞質を有するH. annuus L.の細胞質置換系統に由来するプロトプラストである請求項19〜21のいずれか1項記載の方法。
【請求項２３】
Lactuca 属植物由来のプロトプラストがLactuca sativa L.、L. serriola、L. aculeate、L. scarioloides、L. azerbaijanica、L. georgica、L. dregeana、L. altaica、L. saligna、L. virosa、L. tatarica、L. indica、もしくはL. debilis、またはそれらの種間交雑植物に由来するプロトプラストである請求項19〜22のいずれか1項記載の方法。
【請求項２４】
Helianthus 属植物が細胞質雄性不稔性を有する、請求項19〜23のいずれか１項記載の方法。
【請求項２５】
Helianthus 属植物が雄性不稔性を発現させるDNAをミトコンドリアに有し、該DNAが前記の細胞質雑種Lactuca 属植物の細胞質内に含まれる、請求項24記載の方法。
【請求項２６】
再生されたLactuca 属植物体のうちHelianthus 属植物のミトコンドリアDNAが導入された個体をPCR法又はPCR-RFLP法を用いて選抜することを更に含む、請求項19〜25のいずれか1項記載の方法。
【請求項２７】
再生されたLactuca 属植物体のうちLactuca 属植物の葉緑体DNAを有する個体をPCR-RFLP法を用いて選抜することを更に含む、請求項19〜26のいずれか1項記載の方法。
【請求項２８】
請求項12〜18のいずれか１項記載の方法により作出された、Helianthus 属植物のミトコンドリアに由来するDNAを細胞質内に有し、細胞質雄性不稔性を有する細胞質雑種Lactuca 属植物、その後代、またはそれらの植物体の一部。
【請求項２９】
細胞質雑種Lactuca 属植物またはその後代の植物体の一部が、該植物体の細胞または細胞質を含むものである、請求項28記載の細胞質雑種Lactuca 属植物またはその後代の植物体の一部。
【請求項３０】
請求項12〜18のいずれか１項記載の方法により作出された、Helianthus 属植物のミトコンドリアに由来するDNAを細胞質内に有し、細胞質雄性不稔性を有する細胞質雑種Lactuca 属植物、その後代、またはそれらの植物体の一部の細胞を含むカルス。
【請求項３１】
請求項19〜27のいずれか１項記載の方法により作出された、Helianthus 属植物のミトコンドリアに由来するDNAを細胞質内に有し、細胞質雄性不稔性を有する細胞質雑種Lactuca 属植物、その後代、またはそれらの植物体の一部。
【請求項３２】
細胞質雑種Lactuca 属植物またはその後代の植物体の一部が、該植物体の細胞または細胞質を含むものである、請求項31記載の細胞質雑種Lactuca 属植物またはその後代の植物体の一部。
【請求項３３】
請求項19〜27のいずれか１項記載の方法により作出された、Helianthus 属植物のミトコンドリアに由来するDNAを細胞質内に有し、細胞質雄性不稔性を有する細胞質雑種Lactuca 属植物、その後代、またはそれらの植物体の一部の細胞を含むカルス。
【請求項３４】
請求項1記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項３５】
請求項8記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項３６】
請求項10記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項３７】
請求項28記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項３８】
請求項31記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項３９】
請求項34〜38のいずれか１項記載の方法により作出された雑種第一代種子または該種子から生育させた雑種第一代植物、その後代、またはそれらの植物体の一部。
【請求項４０】
雑種第一代種子または該種子から生育させた雑種第一代植物またはその後代の植物体の一部が、該植物体の細胞または細胞質を含むものである、請求項39記載の雑種第一代植物またはその後代の植物体の一部。
【請求項４１】
請求項34〜38のいずれか１項記載の方法により作出された、雑種第一代種子または該種子から生育させた雑種第一代植物、その後代、またはそれらの植物体の一部の細胞を含むカルス。
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
Helianthus 属植物のミトコンドリアに由来するDNAを細胞質内に有し、細胞質雄性不稔性を有する細胞質雑種Lactuca 属植物、その後代、またはそれらの植物体の一部。
【請求項２】
Helianthus 属植物がH. annuus L.であるか、またはH. petiolaris、H. argophyllus、H. debilis、H. decapetalus 、H. giganteus 、H. rigidus、H. salicifolius、H. anomalus、H. bolanderi、H. exilis、H. maximiliani、H.neglectus、H. praecox、もしくはH. tuberosus由来の細胞質を有するH. annuus L.の細胞質置換系統である請求項1記載の細胞質雑種Lactuca 属植物、その後代、またはそれらの植物体の一部。
【請求項３】
細胞質雑種Lactuca 属植物がLactuca sativa L.、L. serriola、L. aculeate、L. scarioloides、L. azerbaijanica、L. georgica、L. dregeana、L. altaica、L. saligna、L. virosa、L. tatarica、L. indica、もしくはL. debilis、またはそれらの種間交雑植物に由来するものである請求項1または2記載の細胞質雑種Lactuca 属植物、その後代、またはそれらの植物体の一部。
【請求項４】
Helianthus 属植物のミトコンドリアに由来するDNAが雄性不稔性を発現させるDNAである請求項1〜3のいずれか1項記載の細胞質雑種Lactuca 属植物、その後代、またはそれらの植物体の一部。
【請求項５】
Helianthus 属植物由来のプロトプラストとLactuca 属植物由来のプロトプラストを細胞融合し、次いで融合細胞を培養し、培養された融合細胞からLactuca 属植物の植物体を再生することを特徴とする方法により作出されたものである、請求項1〜4のいずれか1項記載の細胞質雑種Lactuca 属植物、その後代、またはそれらの植物体の一部。
【請求項６】
細胞質雑種Lactuca 属植物またはその後代の植物体の一部が、該植物体の細胞または細胞質を含むものである、請求項1〜5のいずれか1項記載の細胞質雑種Lactuca 属植物またはその後代の植物体の一部。
【請求項７】
請求項1〜5のいずれか1項記載の細胞質雑種Lactuca 属植物の細胞を含むカルス。
【請求項８】
受託番号FERM BP-10421である細胞質雑種Lactuca 属植物の種子、該種子から生育させた細胞質雑種Lactuca 属植物、その後代、またはそれらの植物体の一部。
【請求項９】
細胞質雑種Lactuca 属植物またはその後代の植物体の一部が、該植物体の細胞または細胞質を含むものである、請求項8記載の細胞質雑種Lactuca 属植物またはその後代の植物体の一部。
【請求項１０】
受託番号FERM BP-10647である細胞質雑種Lactuca 属植物の種子、該種子から生育させた細胞質雑種Lactuca 属植物、その後代、またはそれらの植物体の一部。
【請求項１１】
細胞質雑種Lactuca 属植物またはその後代の植物体の一部が、該植物体の細胞または細胞質を含むものである、請求項10記載の細胞質雑種Lactuca 属植物またはその後代の植物体の一部。
【請求項１２】
Helianthus 属植物由来のプロトプラストとLactuca 属植物由来のプロトプラストを細胞融合し、次いで融合細胞を培養し、培養された融合細胞からLactuca 属植物の植物体を再生すること、前記細胞融合の工程が、Helianthus 属植物由来のプロトプラストとLactuca 属植物由来のプロトプラストとを 3:1の個数比で混合することを含むこと、ならびに、前記融合細胞を培養する工程が、融合細胞を液体培地中で初期培養し、次いで該液体培地にゲランガムを添加して半固体化状態の培地として培養を継続することを含むことを特徴とする、Helianthus 属植物のミトコンドリアに由来するDNAを細胞質内に有し、細胞質雄性不稔性を有する細胞質雑種Lactuca 属植物の作出方法。
【請求項１３】
初期培養を開始して3〜7日後に液体培地にゲランガムを添加する、請求項12記載の方法。
【請求項１４】
Helianthus 属植物由来のプロトプラストがH. annuus L.に由来するプロトプラストであるか、またはH. petiolaris、H. argophyllus、H. debilis、H. decapetalus 、H. giganteus 、H. rigidus、H. salicifolius、H. anomalus、H. bolanderi、H. exilis、H. maximiliani、H.neglectus、H. praecox、もしくはH. tuberosus由来の細胞質を有するH. annuus L.の細胞質置換系統に由来するプロトプラストである請求項12又は13記載の方法。
【請求項１５】
Lactuca 属植物由来のプロトプラストがLactuca sativa L.、L. serriola、L. aculeate、L. scarioloides、L. azerbaijanica、L. georgica、L. dregeana、L. altaica、L. saligna、L. virosa、L. tatarica、L. indica、もしくはL. debilis、またはそれらの種間交雑植物に由来するプロトプラストである請求項12〜14のいずれか1項記載の方法。
【請求項１６】
Helianthus 属植物が細胞質雄性不稔性を有する、請求項12〜15のいずれか１項記載の方法。
【請求項１７】
Helianthus 属植物が雄性不稔性を発現させるDNAをミトコンドリアに有し、該DNAが前記の細胞質雑種Lactuca 属植物の細胞質内に含まれる、請求項16記載の方法。
【請求項１８】
再生されたLactuca 属植物体のうちHelianthus 属植物のミトコンドリアDNAが導入された個体をPCR法又はPCR-RFLP法を用いて選抜することを更に含む、請求項12〜17のいずれか1項記載の方法。
【請求項１９】
再生されたLactuca 属植物体のうちLactuca 属植物の葉緑体DNAを有する個体をPCR-RFLP法を用いて選抜することを更に含む、請求項12〜18のいずれか1項記載の方法。
【請求項２０】
請求項12〜19のいずれか１項記載の方法により作出された、Helianthus 属植物のミトコンドリアに由来するDNAを細胞質内に有し、細胞質雄性不稔性を有する細胞質雑種Lactuca 属植物、その後代、またはそれらの植物体の一部。
【請求項２１】
細胞質雑種Lactuca 属植物またはその後代の植物体の一部が、該植物体の細胞または細胞質を含むものである、請求項20記載の細胞質雑種Lactuca 属植物またはその後代の植物体の一部。
【請求項２２】
請求項12〜19のいずれか１項記載の方法により作出された、Helianthus 属植物のミトコンドリアに由来するDNAを細胞質内に有し、細胞質雄性不稔性を有する細胞質雑種Lactuca 属植物、その後代、またはそれらの植物体の一部の細胞を含むカルス。
【請求項２３】
請求項1記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項２４】
請求項8記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項２５】
請求項10記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項２６】
請求項20記載の細胞質雑種Lactuca 属植物またはその後代を種子親とし、該植物と交配可能なLactuca 属植物を花粉親として交配し、交配後の種子親から雑種第一代種子を採種することを含む、雑種第一代種子の作出方法。
【請求項２７】
請求項23〜26のいずれか１項記載の方法により作出された雑種第一代種子または該種子から生育させた雑種第一代植物、その後代、またはそれらの植物体の一部。
【請求項２８】
雑種第一代種子または該種子から生育させた雑種第一代植物またはその後代の植物体の一部が、該植物体の細胞または細胞質を含むものである、請求項27記載の雑種第一代植物またはその後代の植物体の一部。
【請求項２９】
請求項23〜26のいずれか１項記載の方法により作出された、雑種第一代種子または該種子から生育させた雑種第一代植物、その後代、またはそれらの植物体の一部の細胞を含むカルス。
【国際調査報告】
2007049730.tif 000035
2007049730.tif 000036
2007049730.tif 000037
2007049730.tif 000038